(57)【要約】【課題】共通画面に表示される視認性の悪い表示情報を、聴講者が聴講者用の画面にて簡易に確認でき、且つ聴講者が共通画面をなるべく見るような状態で提供するのに好適な画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法を提供する。【解決手段】画像表示システム１を、取得した表示データを解析し、当該表示データに基づき構成される画像の視認性の善し悪しを判断する等の処理を行う表示データ処理装置２と、表示データに基づき構成される画像を主表示部５に光投射する主表示装置３と、表示データに含まれた視認性の悪い画像部分を副表示部に表示する複数の副表示装置４と、主表示装置３から光投射された画像を表示する主表示部５とを含んだ構成とした。【選択図】      図１
2006072879.tif 000002
【特許請求の範囲】
【請求項１】
表示データに基づき構成される画像を主表示部に表示する一方、当該画像の一部を、前記主表示部とは別の副表示部に表示することが可能な画像表示システムであって、
前記主表示部に前記画像を表示する画像表示手段と、
前記表示データに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータに基づき構成される画像を、前記副表示部に表示する画像部分表示手段と、を備えることを特徴とする画像表示システム。
【請求項２】
表示データに基づき構成される画像を主表示部に表示する一方、当該画像の一部を、前記主表示部とは別の副表示部に表示することが可能な画像表示システムであって、
前記表示データを取得する表示データ取得手段と、
前記主表示部に前記取得した表示データに基づき構成される画像を表示する画像表示手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータに基づき構成される画像を、前記副表示部に表示する画像部分表示手段と、を備えることを特徴とする画像表示システム。
【請求項３】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムであって、
前記表示データを取得する表示データ取得手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備え、
前記主表示装置は、
前記表示データ取得手段によって取得した表示データに基づき構成される画像を前記主表示部に表示する画像表示手段を備え、
前記副表示装置は、
前記画像データ送信手段によって送信された前記視認性の悪い部分のデータを受信する画像部分データ受信手段と、
前記画像部分データ受信手段によって受信した視認性の悪い部分のデータに基づき構成される画像を前記副表示部に表示する画像部分表示手段と、を備えることを特徴とする画像表示システム。
【請求項４】
表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムであって、
前記表示データ処理装置は、
前記表示データを取得する表示データ取得手段と、
前記取得した表示データを前記主表示装置に送信する表示データ送信手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備え、
前記主表示装置は、
前記表示データ処理装置から送信された表示データを受信する表示データ受信手段と、
前記表示データ受信手段によって受信した表示データに基づき構成される画像を前記主表示部に表示する画像表示手段と、を備え、
前記副表示装置は、
前記表示データ処理装置から送信された前記視認性の悪い部分のデータを受信する画像部分データ受信手段と、
前記画像部分データ受信手段によって受信した前記視認性の悪い部分のデータに基づき構成される画像を前記副表示部に表示する画像部分表示手段と、を備えることを特徴とする画像表示システム。
【請求項５】
前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴とする請求項３又は請求項４記載の画像表示システム。
【請求項６】
自システムの実施環境に係る環境情報と、前記視認性判断基準とを予め関連付け、
前記環境情報を取得する環境情報取得手段を備え、
前記視認性判断手段は、前記解析結果と、前記視認性判断基準と、前記環境情報とに基づき、前記画像の視認性の善し悪しを判断することを特徴とする請求項３乃至請求項５のいずれか１項に記載の画像表示システム。
【請求項７】
前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴とする請求項６記載の画像表示システム。
【請求項８】
前記表示データ処理装置は、前記視認性の悪い部分のデータを加工する画像部分データ加工手段を備え、
前記画像部分データ送信手段は、前記画像部分データ加工手段によって加工された視認性の悪い部分のデータを前記副表示装置に送信することを特徴とする請求項３乃至請求項７のいずれか１項に記載の画像表示システム。
【請求項９】
前記画像部分データ加工手段は、前記画像部分データによって構成される画像の表示形式が、前記副表示装置に適切な形式となるように前記視認性の悪い部分のデータを加工することを特徴とする請求項８記載の画像表示システム。
【請求項１０】
前記視認性判断基準を種類毎に段階的に設定し、
前記視認性判断手段は、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成手段を備え、
前記副表示装置は、システム利用者の操作に応じて、前記段階表示データに基づき、前記段階毎の前記視認性の悪い部分の前記副表示部における表示内容を、段階的に変更することが可能な表示内容変更手段を備えることを特徴とする請求項３乃至請求項９のいずれか１項に記載の画像表示システム。
【請求項１１】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置であって、
前記表示データを取得する表示データ取得手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、
前記表示データ取得手段によって取得した表示データに基づき構成される画像を前記主表示部に表示する画像表示手段と、を備えることを特徴とする主表示装置。
【請求項１２】
表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置であって、
前記表示データを取得する表示データ取得手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備えることを特徴とする表示データ処理装置。
【請求項１３】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記副表示装置であって、
外部装置から送信された、前記画像の一部に該当する視認性の悪い部分のデータを受信する画像部分データ受信手段と、
前記画像部分データ受信手段によって受信した前記視認性の悪い部分のデータに基づき構成される画像を、前記副表示部に表示する画像部分表示手段と、を備えることを特徴とする副表示装置。
【請求項１４】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置を制御するためのプログラムであって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップと、
前記表示データ取得ステップにおいて取得した表示データに基づき構成される画像を前記主表示部に表示する画像表示ステップとからなる処理をコンピュータに実行させるためのプログラムを含むことを特徴とする主表示装置制御プログラム。
【請求項１５】
表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置を制御するためのプログラムであって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップとからなる処理をコンピュータに実行させるためのプログラムを含むことを特徴とする表示データ処理装置制御プログラム。
【請求項１６】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記副表示装置を制御するためのプログラムであって、
外部装置から送信された、前記画像の一部に該当する視認性の悪い部分のデータを受信する画像部分データ受信ステップと、
前記画像部分データ受信ステップにおいて受信した前記視認性の悪い部分のデータに基づき構成される画像を、前記副表示部に表示する画像部分表示ステップとからなる処理をコンピュータに実行させるためのプログラムを含むことを特徴とする副表示装置制御プログラム。
【請求項１７】
主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置を制御するための方法であって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップと、
前記表示データ取得ステップにおいて取得した表示データに基づき構成される画像を前記主表示部に表示する画像表示ステップと、を含むことを特徴とする主表示装置制御方法。
【請求項１８】
表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置を制御するための方法であって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップと、を特徴とする表示データ処理装置制御方法。
【請求項１９】
表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記副表示装置を制御するための方法であって、
前記表示データ処理装置から送信された前記視認性の悪い部分のデータを受信する画像部分データ受信ステップと、
前記画像部分データ受信ステップにおいて受信した前記視認性の悪い部分のデータに基づき構成される画像を前記副表示部に表示する画像部分表示ステップと、を含むことを特徴とする副表示装置制御方法。
【発明の詳細な説明】
【技術分野】
【０００１】
本発明は、主表示部に表示する画像の一部を、主表示部とは別の副表示部に表示するシステムに係り、特に、主表示部の表示画像における視認性の悪い画像部分を副表示部に表示するのに好適な画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法に関する。
【背景技術】
【０００２】
情報提供者が情報をスクリーン等の大型の画面に表示して複数の聴講者に見せながらその情報の内容を説明する際、画面解像度や表示情報の視認性の観点により、画面にて表示できる情報量には制限が生じる。
一般に、情報提供者が表示データ中に詳細な情報をたくさん含めるほど画面に表示される内容は煩雑になり、聴講者にとって画面内の表示情報は見づらくなり、当該情報におけるポイントの理解を妨げてしまう。
【０００３】
また、視認性は情報提供を行う会場の規模、明るさ、聴講者の視力などといった環境に左右されるものであり、情報提供者は自分が情報提供を行う会場の環境を考慮に入れた資料を作成する必要があった。このように、情報提供者は複数の聴講者に対して情報提供するための資料を、あらかじめ情報提供の環境を考慮して作成し、場合によっては表示内容が煩雑となる細かな情報は省略する等の配慮をする必要があった。
【０００４】
従来、このような問題点を解決するため、聴講者ごとに画面を用意するというアプローチがある。この方法により、情報提供者が画面に表示する表示内容を各聴講者の画面に表示することで、聴講者は共通画面を見るだけでは識別できないデータも手元の画面で確認することができる。
しかしながら、この方式では聴講者は自分用の画面のみを見ていればよく、情報提供者を見なくなるために、プレゼンテーションの効果が減じてしまうといった状況が生じる恐れがある。このような状況を改善するためには、情報提供者は共通画面に表示する情報内容と聴講者用の画面に表示する情報内容とを、情報提供会場の環境を考慮して切り分けて作成する必要があるが、このような作業には大変手間がかかってしまう。
【０００５】
特許文献１記載のデータを配信するためのシステム及び装置においては、プレゼンターまでをコンテンツとして扱い、動画、音声を聴講者の端末に配信する技術が記載されている。
【特許文献１】特開２００３−２９９０５９号公報
【発明の開示】
【発明が解決しようとする課題】
【０００６】
しかしながら、上記特許文献１においては、聴講者用の端末に、動画、音声を扱う比較的高いスペックが必要とされるのに加え、会場にいる聴講者は、やはり自分の端末の画像しか見ないという状況になり、情報提供者の意図するプレゼンテーションの効果が得られないという問題がある。
そこで、本発明は、このような従来の技術の有する未解決の課題に着目してなされたものであって、共通画面に表示される視認性の悪い表示情報を、聴講者が聴講者用の画面にて簡易に確認でき且つ聴講者が共通画面をなるべく見るような状態で提供するのに好適な画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法を提供することを目的としている。
【課題を解決するための手段】
【０００７】
〔発明１〕  上記目的を達成するために、発明１の画像表示システムは、表示データに基づき構成される画像を主表示部に表示する一方、当該画像の一部を、前記主表示部とは別の副表示部に表示することが可能な画像表示システムであって、
前記主表示部に前記画像を表示する画像表示手段と、
前記表示データに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータに基づき構成される画像を、前記副表示部に表示する画像部分表示手段と、を備えることを特徴としている。
【０００８】
このような構成であれば、画像表示手段によって、主表示部に表示データに基づき構成される画像を表示することが可能であり、視認性判断手段によって、表示データに基づき、前記画像の視認性の善し悪しを判断することが可能であり、画像部分データ抽出手段によって、視認性判断手段の判断結果に基づき、前記表示データから前記画像における視認性の悪い部分のデータを抽出することが可能であり、画像部分表示手段によって、画像部分データ抽出手段によって抽出された前記視認性の悪い部分のデータに基づき構成される画像を、前記副表示部に表示することが可能である。
【０００９】
従って、論文発表や製品紹介等のプレゼンテーションを行う会場において本発明を適用することで、例えば、発表者は、主表示部に表示された画像を使って聴講者に製品を紹介し、一方、主表示部に表示された画像のうち視認性の悪いと判断された画像部分を、例えば、聴講者全員に用意した副表示部に表示することで、聴講者は、視認性の悪い画像部分（例えば、細かい文字や数字等）については、副表示部を見て容易に確認でき、それ以外については、主表示部に表示された画像（及び発表者）を見るので、視認性の悪い部分の情報を聴講者に提供できると共に、聴講者の発表者への注意力低減を比較的抑えることができるという効果が得られる。
【００１０】
ここで、主表示部は、表示データ毎に当該表示データによって構成される画像（表示データに含まれるコンテンツ）を表示する役割を有するもので、複数人（比較的多数）の主表示部を見る者（例えば、聴講者全員）に共通の表示部であり、スクリーン、液晶パネル、プラズマディスプレイパネル等によって構成される。なお、多人数に共通の表示部であるので、副表示部に比較して大きな表示範囲を有する。以下、発明２、３及び４の画像表示システム、発明１１の主表示装置、発明１９の表示データ処理装置、発明２９の主表示装置制御プログラム、発明３６の表示データ処理装置制御プログラム、発明４５の主表示装置制御方法、並びに発明５２の表示データ処理装置制御方法において同じである。
【００１１】
また、副表示部は、主表示部に表示される画像のうち、視認性の悪い画像部分を表示する役割を有するもので、例えば、各聴講者毎に用意される表示部であり、ブラウン管、液晶パネル等によって構成される。各人に１台用意されるものであるので、主表示部と比較して小さい表示範囲を有する。以下、発明２、３及び４の画像表示システム、発明２６の副表示装置、発明４３の副表示装置制御プログラム、並びに発明５９の副表示装置制御方法において同じである。
【００１２】
〔発明２〕  また、上記目的を達成するために、発明２の画像表示システムは、表示データに基づき構成される画像を主表示部に表示する一方、当該画像の一部を、前記主表示部とは別の副表示部に表示することが可能な画像表示システムであって、
前記表示データを取得する表示データ取得手段と、
前記主表示部に前記取得した表示データに基づき構成される画像を表示する画像表示手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータに基づき構成される画像を、前記副表示部に表示する画像部分表示手段と、を備えることを特徴としている。
【００１３】
このような構成であれば、表示データ取得手段によって、表示データを取得することが可能であり、画像表示手段によって、主表示部に表示データに基づき構成される画像を表示することが可能であり、表示データ解析手段によって、表示データを解析することが可能であり、視認性判断手段によって、表示データ解析手段の解析結果と、予め設定された、前記画像の視認性の善し悪しを判断するための視認性判断基準とに基づき、前記画像の視認性の善し悪しを判断することが可能であり、画像部分データ抽出手段によって、視認性判断手段の判断結果に基づき、前記表示データから前記画像における視認性の悪い部分のデータを抽出することが可能であり、画像部分表示手段によって、前記画像部分データ抽出手段によって抽出された前記視認性の悪い部分のデータに基づき構成される画像を、前記副表示部に表示することが可能である。
【００１４】
従って、論文発表や製品紹介等のプレゼンテーションを行う会場において本発明を適用することで、例えば、発表者は、主表示部に表示された画像を使って聴講者に製品を紹介し、一方、主表示部に表示された画像のうち視認性の悪いと判断された画像部分を、例えば、聴講者全員に用意した副表示部に表示することで、聴講者は、視認性の悪い画像部分（例えば、細かい文字や数字等）については、副表示部を見て容易に確認でき、それ以外については、主表示部に表示された画像（及び発表者）を見るので、視認性の悪い部分の情報を聴講者に提供できると共に、聴講者の発表者への注意力低減を比較的抑えることができるという効果が得られる。
【００１５】
〔発明３〕  また、上記目的を達成するために、発明３の画像表示システムは、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムであって、
前記表示データを取得する表示データ取得手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備え、
前記主表示装置は、
前記表示データ取得手段によって取得した表示データに基づき構成される画像を前記主表示部に表示する画像表示手段を備え、
前記副表示装置は、
前記画像データ送信手段によって送信された前記視認性の悪い部分のデータを受信する画像部分データ受信手段と、
前記画像部分データ受信手段によって受信した前記視認性の悪い部分のデータに基づき構成される画像を前記副表示部に表示する画像部分表示手段と、を備えることを特徴としている。
【００１６】
このような構成であれば、表示データ取得手段によって、表示データを取得することが可能であり、表示データ解析手段によって、表示データを解析することが可能であり、視認性判断手段によって、表示データ解析手段の解析結果と、予め設定された、前記画像の視認性の善し悪しを判断するための視認性判断基準とに基づき、前記画像の視認性の善し悪しを判断することが可能であり、画像部分データ抽出手段によって、視認性判断手段の判断結果に基づき、前記表示データから前記画像における視認性の悪い部分のデータを抽出することが可能であり、画像部分データ送信手段によって、前記画像部分データ抽出手段によって抽出された視認性の悪い部分のデータを、前記副表示装置に送信することが可能である。
【００１７】
また、主表示装置は、画像表示手段によって、表示データ取得手段によって取得した表示データに基づき構成される画像を前記主表示部に表示することが可能である。
また、副表示装置は、画像部分データ受信手段によって、画像データ送信手段によって送信された視認性の悪い部分のデータを受信することが可能であり、画像部分表示手段によって、画像部分データ受信手段によって受信した視認性の悪い部分のデータに基づき構成される画像を前記副表示部に表示することが可能である。
【００１８】
従って、論文発表や製品紹介等のプレゼンテーションを行う会場において本発明を適用することで、例えば、発表者は、主表示部に表示された画像を使って聴講者に製品を紹介し、一方、主表示部に表示された画像のうち視認性の悪いと判断された画像部分を、例えば、聴講者全員に用意した副表示部に表示することで、聴講者は、視認性の悪い画像部分（例えば、細かい文字や数字等）については、副表示部を見て容易に確認でき、それ以外については、主表示部に表示された画像（及び発表者）を見るので、視認性の悪い部分の情報を聴講者に提供できると共に、聴講者の発表者への注意力低減を比較的抑えることができるという効果が得られる。
【００１９】
ここで、主表示装置は、プロジェクタ等の光を投射してスクリーン等に画像を表示する投射型表示装置、液晶パネルに画像を表示するためのドライバＩＣを含んで構成される装置、プラズマディスプレイパネルに画像を表示するためのドライバＩＣを含んで構成される装置などの、主表示部に応じた装置となる。以下、発明４の画像表示システム、発明１１の主表示装置、発明２９の主表示装置制御プログラム、及び発明４５の主表示装置制御方法において同じである。
【００２０】
また、副表示装置は、ブラウン管を制御して電子ビームで蛍光膜を走査し残像現象を利用して画像を表示する装置、液晶パネルに画像を表示するためのドライバＩＣを含んで構成される装置などの、副表示部に応じた装置となる。以下、発明４の画像表示システム、発明２６の副表示装置、発明４３の副表示装置制御プログラム、及び発明５９の副表示装置制御方法において同じである。
【００２１】
〔発明４〕  また、上記目的を達成するために、発明４の画像表示システムは、表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムであって、
前記表示データ処理装置は、
前記表示データを取得する表示データ取得手段と、
前記取得した表示データを前記主表示装置に送信する表示データ送信手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備え、
前記主表示装置は、
前記表示データ処理装置から送信された表示データを受信する表示データ受信手段と、
前記表示データ受信手段によって受信した表示データに基づき構成される画像を前記主表示部に表示する画像表示手段と、を備え、
前記副表示装置は、
前記表示データ処理装置から送信された前記視認性の悪い部分のデータを受信する画像部分データ受信手段と、
前記画像部分データ受信手段によって受信した前記視認性の悪い部分のデータに基づき構成される画像を前記副表示部に表示する画像部分表示手段と、を備えることを特徴としている。
【００２２】
このような構成であれば、表示データ処理装置は、表示データ取得手段によって、表示データを取得することが可能であり、表示データ送信手段によって、表示データを前記主表示装置に送信することが可能であり、表示データ解析手段によって、表示データを解析することが可能であり、視認性判断手段によって、表示データ解析手段の解析結果と、予め設定された、前記画像の視認性の善し悪しを判断するための視認性判断基準とに基づき、前記画像の視認性の善し悪しを判断することが可能であり、画像部分データ抽出手段によって、視認性判断手段の判断結果に基づき、前記表示データから前記画像における視認性の悪い部分のデータを抽出することが可能であり、画像部分データ送信手段によって、前記画像部分データ抽出手段によって抽出された視認性の悪い部分のデータを、前記副表示装置に送信することが可能である。
【００２３】
また、主表示装置は、表示データ受信手段によって、表示データ処理装置から送信された表示データを受信することが可能であり、画像表示手段によって、表示データ受信手段によって受信した表示データに基づき構成される画像を前記主表示部に表示することが可能である。
また、副表示装置は、画像部分データ受信手段によって、表示データ処理装置から送信された視認性の悪い部分のデータを受信することが可能であり、画像部分表示手段によって、前記画像部分データ受信手段によって受信した視認性の悪い部分のデータに基づき構成される画像を前記副表示部に表示することが可能である。
【００２４】
従って、論文発表や製品紹介等のプレゼンテーションを行う会場において本発明を適用することで、例えば、発表者は、主表示部に表示された画像を使って聴講者に製品を紹介し、一方、主表示部に表示された画像のうち視認性の悪いと判断された画像部分を、例えば、聴講者全員に用意した副表示部に表示することで、聴講者は、視認性の悪い画像部分（例えば、細かい文字や数字等）については、副表示部を見て容易に確認でき、それ以外については、主表示部に表示された画像（及び発表者）を見るので、視認性の悪い部分の情報を聴講者に提供できると共に、聴講者の発表者への注意力低減を比較的抑えることができるという効果が得られる。
【００２５】
〔発明５〕  更に、発明５の画像表示システムは、発明３又は発明４の画像表示システムにおいて、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
【００２６】
このような構成であれば、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき、表示データによって構成される画像の視認性の善し悪しを判断することができるという効果が得られる。
【００２７】
〔発明６〕  更に、発明６の画像表示システムは、発明３乃至発明５のいずれか１の画像表示システムにおいて、自システムの実施環境に係る環境情報と、前記視認性判断基準とを予め関連付け、
前記環境情報を取得する環境情報取得手段を備え、
前記視認性判断手段は、前記解析結果と、前記視認性判断基準と、前記環境情報とに基づき、前記画像の視認性の善し悪しを判断することを特徴としている。
【００２８】
このような構成であれば、システムの実施環境に係る情報と、視認性評価基準との両方の情報を組み合わせた情報により、表示データによって構成される画像の視認性の善し悪しを判断することができるので、より正確に視認性の善し悪しの判断ができるという効果が得られる。
ここで、上記環境情報は、システムを実施する会場の環境の情報、システムを利用する利用者の情報等を含む。
【００２９】
〔発明７〕  更に、発明７の画像表示システムは、発明６の画像表示システムにおいて、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
【００３０】
このような構成であれば、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つと、視認性評価基準との組み合わせた情報により、表示データによって構成される画像の視認性の善し悪しを判断することができるので、より正確に視認性の善し悪しの判断ができるという効果が得られる。
【００３１】
〔発明８〕  更に、発明８の画像表示システムは、発明３乃至発明７のいずれか１の画像表示システムにおいて、前記表示データ処理装置は、前記視認性の悪い部分のデータを加工する画像部分データ加工手段を備え、
前記画像部分データ送信手段は、前記画像部分データ加工手段によって加工された前記視認性の悪い部分のデータを前記副表示装置に送信することを特徴としている。
【００３２】
このような構成であれば、表示データ処理装置は、画像部分データ加工手段によって、前記視認性の悪い部分のデータを加工することが可能である。
また、前記画像部分データ送信手段は、前記画像部分データ加工手段によって加工された前記視認性の悪い部分のデータを前記副表示装置に送信することが可能である。
従って、視認性が悪いとして抽出した前記視認性の悪い部分のデータを、例えば、漢字の読み仮名の部分が視認性が悪いとして抽出された場合に、読み仮名の部分のデータを、対応する漢字と読み仮名の両方が一緒に表示されるデータに加工することで、副表示部において、視認性の悪い画像が見易く表示されるように加工することができるという効果が得られる。
【００３３】
〔発明９〕  更に、発明９の画像表示システムは、発明８の画像表示システムにおいて、前記画像部分データ加工手段は、前記視認性の悪い部分のデータによって構成される画像の表示形式が、前記副表示装置に適切な形式となるように前記視認性の悪い部分のデータを加工することを特徴としている。
このような構成であれば、表示データのデータ形式が副表示装置において対応していない場合でも、画像部分データ加工手段において、副表示装置が副表示部に画像を表示できる形式にデータ形式を変換することができるので、副表示装置の機種依存等を緩和でき、副表示装置として、携帯電話やＰＤＡ等を簡易に利用できるという効果が得られる。
【００３４】
〔発明１０〕  さらに、発明１０の画像表示システムは、発明３乃至発明９のいずれか１の画像表示システムにおいて、前記視認性判断基準を種類毎に段階的に設定し、
前記視認性判断手段は、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成手段を備え、
前記副表示装置は、システム利用者の操作に応じて、前記段階表示データに基づき、前記段階毎の前記視認性の悪い部分の前記副表示部における表示内容を、段階的に変更することが可能な表示内容変更手段を備えることを特徴としている。
【００３５】
このような構成であれば、段階表示データ生成手段によって、段階毎に抽出された視認性の悪い部分のデータに基づき、当該視認性の悪い部分の画像の前記副表示部における表示内容を段階的に変更することが可能な段階表示データを生成することが可能である。
また、前記副表示装置は、表示状態変更手段によって、システム利用者の操作に応じて、前記段階表示データに基づき、前記段階毎の画像部分の前記副表示部における表示内容を、段階的に変更することが可能である。
【００３６】
従って、副表示装置を扱うシステム利用者は、各自に適切な内容の視認性の悪い画像部分を副表示部に表示させることができるという効果が得られる。例えば、フォントサイズ８〜１０（数字が大きい程サイズ大）の範囲の文字を視認性の悪い画像部分として判断するように視認性判断基準を設定した場合、副表示部においては、フォントサイズ８〜９の範囲の文字の表示内容を、サイズ８のみ、サイズ８及び９、サイズ８〜１０といったように段階的に変更することができるようになる。
【００３７】
〔発明１１〕  一方、上記目的を達成するために、発明１１の主表示装置は、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置であって、
前記表示データを取得する表示データ取得手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、
前記表示データ取得手段によって取得した表示データに基づき構成される画像を前記主表示部に表示する画像表示手段と、を備えることを特徴としている。
ここで、本発明は、発明３の画像表示システムに適用可能な主表示装置であり、発明３の画像表示システムと同等の作用効果が得られる。
【００３８】
〔発明１２〕  更に、発明１２の主表示装置は、発明１１の主表示装置において、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
ここで、本発明は、発明３に従属した場合の発明５の画像表示システムに適用可能な主表示装置であり、発明５の画像表示システムと同等の作用効果が得られる。
【００３９】
〔発明１３〕  更に、発明１３の主表示装置は、発明１１又は発明１２の主表示装置において、自システムの実施環境に係る環境情報と、前記視認性判断基準とを予め関連付け、
前記環境情報を取得する環境情報取得手段を備え、
前記視認性判断手段は、前記解析結果と、前記視認性判断基準と、前記環境情報とに基づき、前記画像の視認性の善し悪しを判断することを特徴としている。
ここで、本発明は、発明３に従属した場合の発明６の画像表示システムに適用可能な主表示装置であり、発明６の画像表示システムと同等の作用効果が得られる。
【００４０】
〔発明１４〕  更に、発明１４の主表示装置は、発明１３の主表示装置において、前記環境情報は、前記主表示部の表示領域のサイズ情報、前記画像表示システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
ここで、本発明は、発明３に従属した場合の発明７の画像表示システムに適用可能な主表示装置であり、発明７の画像表示システムと同等の作用効果が得られる。
【００４１】
〔発明１５〕  更に、発明１５の主表示装置は、発明１１乃至発明１４のいずれか１の主表示装置において、前記視認性の悪い部分のデータを加工する画像部分データ加工手段を備え、
前記画像部分データ送信手段は、前記画像部分データ加工手段によって加工された前記視認性の悪い部分のデータを前記副表示装置に送信することを特徴としている。
ここで、本発明は、発明３に従属した場合の発明８の画像表示システムに適用可能な主表示装置であり、発明８の画像表示システムと同等の作用効果が得られる。
【００４２】
〔発明１６〕  更に、発明１６の主表示装置は、発明１５の主表示装置において、前記画像部分データ加工手段は、前記視認性の悪い部分のデータによって構成される画像の表示形式が、前記副表示装置に適切な形式となるように前記視認性の悪い部分のデータを加工することを特徴としている。
ここで、本発明は、発明３に従属した場合の発明９の画像表示システムに適用可能な主表示装置であり、発明９の画像表示システムと同等の作用効果が得られる。
【００４３】
〔発明１７〕  更に、発明１７の主表示装置は、発明１１乃至発明１６のいずれか１の主表示装置において、前記視認性判断基準を種類毎に段階的に設定し、
前記視認性判断手段は、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成手段を備えることを特徴としている。
ここで、本発明は、発明３に従属した場合の発明１０の画像表示システムに適用可能な主表示装置であり、発明１０の画像表示システムと同等の作用効果が得られる。
【００４４】
〔発明１８〕  更に、発明１８の主表示装置は、発明１１乃至発明１７のいずれか１の主表示装置において、前記主表示部を備えることを特徴としている。
このような構成であれば、主表示部を備えるようにしたので、液晶テレビ等のディスプレイ装置として構成することができるという効果が得られる。
【００４５】
〔発明１９〕  一方、上記目的を達成するために、発明１９の表示データ処理装置は、表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置であって、
前記表示データを取得する表示データ取得手段と、
前記取得した表示データを前記主表示装置に送信する表示データ送信手段と、
前記取得した表示データを解析する表示データ解析手段と、
前記表示データ解析手段の解析結果と、予め設定された、前記画像の視認性の善し悪しを判断するための視認性判断基準とに基づき、前記画像の視認性の善し悪しを判断する視認性判断手段と、
前記視認性判断手段の判断結果に基づき、前記表示データから前記画像における視認性の悪い部分のデータを抽出する画像部分データ抽出手段と、
前記画像部分データ抽出手段によって抽出された前記視認性の悪い部分のデータを、前記副表示装置に送信する画像部分データ送信手段と、を備えることを特徴としている。
ここで、本発明は、発明４の画像表示システムに適用可能な表示データ処理装置であり、発明４の画像表示システムと同等の作用効果が得られる。
【００４６】
〔発明２０〕  更に、発明２０の表示データ処理装置は、発明１９の表示データ処理装置において、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
ここで、本発明は、発明４に従属した場合の発明５の画像表示システムに適用可能な表示データ処理装置であり、発明５の画像表示システムと同等の作用効果が得られる。
【００４７】
〔発明２１〕  更に、発明２１の表示データ処理装置は、発明１９又は発明２０の表示データ処理装置において、前記画像表示システムの実施環境に係る環境情報と、前記視認性判断基準とを予め関連付け、
前記環境情報を取得する環境情報取得手段を備え、
前記視認性判断手段は、前記解析結果と、前記視認性判断基準と、前記環境情報とに基づき、前記画像の視認性の善し悪しを判断することを特徴としている。
ここで、本発明は、発明４に従属した場合の発明６の画像表示システムに適用可能な表示データ処理装置であり、発明６の画像表示システムと同等の作用効果が得られる。
【００４８】
〔発明２２〕  更に、発明２２の表示データ処理装置は、発明２１の表示データ処理装置において、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
ここで、本発明は、発明４に従属した場合の発明７の画像表示システムに適用可能な表示データ処理装置であり、発明７の画像表示システムと同等の作用効果が得られる。
【００４９】
〔発明２３〕  更に、発明２３の表示データ処理装置は、発明１９乃至発明２２のいずれか１の表示データ処理装置において、前記視認性の悪い部分のデータを加工する画像部分データ加工手段を備え、
前記画像部分データ送信手段は、前記画像部分データ加工手段によって加工された前記視認性の悪い部分のデータを前記副表示装置に送信することを特徴としている。
ここで、本発明は、発明４に従属した場合の発明８の画像表示システムに適用可能な表示データ処理装置であり、発明８の画像表示システムと同等の作用効果が得られる。
【００５０】
〔発明２４〕  更に、発明２４の表示データ処理装置は、発明２３の表示データ処理装置において、前記画像部分データ加工手段は、前記視認性の悪い部分のデータによって構成される画像の表示形式が、前記副表示装置に適切な形式となるように前記視認性の悪い部分のデータを加工することを特徴としている。
ここで、本発明は、発明４に従属した場合の発明９の画像表示システムに適用可能な表示データ処理装置であり、発明９の画像表示システムと同等の作用効果が得られる。
【００５１】
〔発明２５〕  更に、発明２５の表示データ処理装置は、発明１９乃至発明２４のいずれか１の表示データ処理装置において、前記視認性判断基準を種類毎に段階的に設定し、
前記視認性判断手段は、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成手段を備えることを特徴としている。
ここで、本発明は、発明４に従属した場合の発明１０の画像表示システムに適用可能な表示データ処理装置であり、発明１０の画像表示システムと同等の作用効果が得られる。
【００５２】
〔発明２６〕  一方、上記目的を達成するために、発明２６の副表示装置は、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記副表示装置であって、
外部装置から送信された、前記画像の一部に該当する前記視認性の悪い部分のデータを受信する画像部分データ受信手段と、
前記画像部分データ受信手段によって受信した前記視認性の悪い部分のデータに基づき構成される画像を、前記副表示部に表示する画像部分表示手段と、を備えることを特徴としている。
ここで、本発明は、発明３又は発明４の画像表示システムに適用可能な副表示装置であり、発明３又は発明４の画像表示システムと同等の作用効果が得られる。
【００５３】
〔発明２７〕  更に、発明２７の副表示装置は、発明２６の副表示装置において、システム利用者の操作に応じて、前記視認性の悪い部分の画像の前記副表示部における表示状態を段階的に変更できるように加工されたデータに基づき、前記段階毎の前記副表示部における表示内容を、段階的に変更することが可能な表示内容変更手段を備えることを特徴としている。
ここで、本発明は、発明１０の画像表示システムに適用可能な副表示装置であり、発明１０の画像表示システムと同等の作用効果が得られる。
【００５４】
〔発明２８〕  更に、発明２８の副表示装置は、発明２６又は発明２７の副表示装置において、前記副表示部を備えることを特徴としている。
このような構成であれば、副表示装置を、ノートＰＣ、ＰＤＡ、携帯電話等により簡易に構成することができるという効果が得られる。
【００５５】
〔発明２９〕  一方、上記目的を達成するために、発明２９の主表示装置制御プログラムは、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置を制御するためのプログラムであって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップと、
前記表示データ取得ステップにおいて取得した表示データに基づき構成される画像を前記主表示部に表示する画像表示ステップとからなる処理をコンピュータに実行させるためのプログラムを含むことを特徴としている。
【００５６】
このような構成であれば、コンピュータによってプログラムが読み取られ、読み取られたプログラムに従ってコンピュータが処理を実行すると、発明３の画像表示システムと同等の作用および効果が得られる。
【００５７】
〔発明３０〕  更に、発明３０の主表示装置制御プログラムは、発明２９の主表示装置制御プログラムにおいて、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
このような構成であれば、コンピュータによってプログラムが読み取られ、読み取られたプログラムに従ってコンピュータが処理を実行すると、発明５の画像表示システムと同等の作用および効果が得られる。
【００５８】
〔発明３１〕  更に、発明３１の主表示装置制御プログラムは、発明２９又は発明３０の主表示装置制御プログラムにおいて、前記画像表示システムの実施環境に係る環境情報と、前記視認性判断基準とを予め関連付け、
前記環境情報を取得する環境情報取得ステップをコンピュータに実行させるためのプログラムを含み、
前記視認性判断ステップにおいては、前記解析結果と、前記視認性判断基準と、前記環境情報とに基づき、前記画像の視認性の善し悪しを判断することを特徴としている。
このような構成であれば、コンピュータによってプログラムが読み取られ、読み取られたプログラムに従ってコンピュータが処理を実行すると、発明６の画像表示システムと同等の作用および効果が得られる。
【００５９】
〔発明３２〕  更に、発明３２の主表示装置制御プログラムは、発明３１の主表示装置制御プログラムにおいて、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
このような構成であれば、コンピュータによってプログラムが読み取られ、読み取られたプログラムに従ってコンピュータが処理を実行すると、発明７の画像表示システムと同等の作用および効果が得られる。
【００６０】
〔発明３３〕  更に、発明３３の主表示装置制御プログラムは、発明２９乃至発明３２のいずれか１の主表示装置制御プログラムにおいて、前記視認性の悪い部分のデータを加工する画像部分データ加工ステップをコンピュータに実行させるためのプログラムを含み、
前記画像部分データ送信ステップにおいては、前記画像部分データ加工ステップにおいて加工された前記視認性の悪い部分のデータを前記副表示装置に送信することを特徴としている。
【００６１】
このような構成であれば、コンピュータによってプログラムが読み取られ、読み取られたプログラムに従ってコンピュータが処理を実行すると、発明８の画像表示システムと同等の作用および効果が得られる。
【００６２】
〔発明３４〕  更に、発明３４の主表示装置制御プログラムは、発明３３の主表示装置制御プログラムにおいて、前記部分画像データ加工ステップにおいては、前記視認性の悪い部分のデータによって構成される画像の表示形式が、前記副表示装置に適切な形式となるように前記視認性の悪い部分のデータを加工することを特徴としている。
【００６３】
このような構成であれば、コンピュータによってプログラムが読み取られ、読み取られたプログラムに従ってコンピュータが処理を実行すると、発明９の画像表示システムと同等の作用および効果が得られる。
【００６４】
〔発明３５〕  更に、発明３５の主表示装置制御プログラムは、発明２９乃至発明３４のいずれか１の主表示装置制御プログラムにおいて、前記視認性判断基準は種類毎に段階的に設定されており、
前記視認性判断ステップにおいては、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成ステップをコンピュータに実行させるためのプログラムを含むことを特徴としている。
このような構成であれば、コンピュータによってプログラムが読み取られ、読み取られたプログラムに従ってコンピュータが処理を実行すると、発明１０の画像表示システムと同等の作用および効果が得られる。
【００６５】
〔発明３６〕  一方、上記目的を達成するために、発明３６の表示データ処理装置制御プログラムは、表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置を制御するためのプログラムであって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明４の画像表示システムと同等の作用および効果が得られる。
【００６６】
〔発明３７〕  更に、発明３７の表示データ処理装置制御プログラムは、発明３６の表示データ処理装置制御プログラムにおいて、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
このような構成であれば、コンピュータによってプログラムが読み取られ、読み取られたプログラムに従ってコンピュータが処理を実行すると、発明５の画像表示システムと同等の作用および効果が得られる。
【００６７】
〔発明３８〕  更に、発明３８の表示データ処理装置制御プログラムは、発明３６又は発明３７の表示データ処理装置制御プログラムにおいて、前記画像表示システムの実施環境に係る環境情報と、前記視認性判断基準とを予め関連付け、
前記環境情報を取得する環境情報取得ステップをコンピュータに実行させるためのプログラムを含み、
前記視認性判断ステップにおいては、前記解析結果と、前記視認性判断基準と、前記環境情報とに基づき、前記画像の視認性の善し悪しを判断することを特徴としている。
このような構成であれば、コンピュータによってプログラムが読み取られ、読み取られたプログラムに従ってコンピュータが処理を実行すると、発明６の画像表示システムと同等の作用および効果が得られる。
【００６８】
〔発明３９〕  更に、発明３９の表示データ処理装置制御プログラムは、発明３８の表示データ処理装置制御プログラムにおいて、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
【００６９】
このような構成であれば、コンピュータによってプログラムが読み取られ、読み取られたプログラムに従ってコンピュータが処理を実行すると、発明７の画像表示システムと同等の作用および効果が得られる。
【００７０】
〔発明４０〕  更に、発明４０の表示データ処理装置制御プログラムは、発明３６乃至発明３９のいずれか１の表示データ処理装置制御プログラムにおいて、前記視認性の悪い部分のデータを加工する画像部分データ加工ステップをコンピュータに実行させるためのプログラムを含み、
前記画像部分データ送信ステップにおいては、前記画像部分データ加工ステップにおいて加工された前記視認性の悪い部分のデータを前記副表示装置に送信することを特徴としている。
【００７１】
このような構成であれば、コンピュータによってプログラムが読み取られ、読み取られたプログラムに従ってコンピュータが処理を実行すると、発明８の画像表示システムと同等の作用および効果が得られる。
【００７２】
〔発明４１〕  更に、発明４１の表示データ処理装置制御プログラムは、発明４０の表示データ処理装置制御プログラムにおいて、前記部分画像データ加工ステップにおいては、前記視認性の悪い部分のデータによって構成される画像の表示形式が、前記副表示装置に適切な形式となるように前記視認性の悪い部分のデータを加工することを特徴としている。
【００７３】
このような構成であれば、コンピュータによってプログラムが読み取られ、読み取られたプログラムに従ってコンピュータが処理を実行すると、発明９の画像表示システムと同等の作用および効果が得られる。
【００７４】
〔発明４２〕  更に、発明４２の主表示装置制御プログラムは、発明３６乃至発明４１のいずれか１の主表示装置制御プログラムにおいて、前記視認性判断基準は種類毎に段階的に設定されており、
前記視認性判断ステップにおいては、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成ステップをコンピュータに実行させるためのプログラムを含むことを特徴としている。
【００７５】
このような構成であれば、コンピュータによってプログラムが読み取られ、読み取られたプログラムに従ってコンピュータが処理を実行すると、発明１０の画像表示システムと同等の作用および効果が得られる。
【００７６】
〔発明４３〕  一方、上記目的を達成するために、発明４３の副表示装置制御プログラムは、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記副表示装置を制御するためのプログラムであって、
外部装置から送信された、前記画像の一部に該当する前記視認性の悪い部分のデータを受信する画像部分データ受信ステップと、
前記画像部分データ受信ステップにおいて受信した前記視認性の悪い部分のデータに基づき構成される画像を、前記副表示部に表示する画像部分表示ステップとからなる処理をコンピュータに実行させるためのプログラムを含むことを特徴としている。
【００７７】
このような構成であれば、コンピュータによってプログラムが読み取られ、読み取られたプログラムに従ってコンピュータが処理を実行すると、発明３又は発明４の画像表示システムと同等の作用および効果が得られる。
【００７８】
〔発明４４〕  更に、発明４４の副表示装置制御プログラムは、発明４３の副表示装置制御プログラムにおいて、システム利用者の操作に応じて、前記視認性の悪い部分の画像の前記副表示部における表示状態を段階的に変更できるように加工されたデータに基づき、前記段階毎の前記副表示部における表示内容を、段階的に変更することが可能な表示内容変更ステップをコンピュータに実行させるためのプログラムを含むことを特徴としている。
【００７９】
このような構成であれば、コンピュータによってプログラムが読み取られ、読み取られたプログラムに従ってコンピュータが処理を実行すると、発明１０の画像表示システムと同等の作用および効果が得られる。
【００８０】
〔発明４５〕  一方、上記目的を達成するために、発明４５の主表示装置制御方法は、主表示装置と、副表示装置とを備え、前記主表示装置によって、表示データに基づき構成される画像を主表示部に表示する一方、前記副表示装置によって、前記画像の一部を前記主表示部とは別の副表示部に表示することが可能な画像表示システムに適用可能な前記主表示装置を制御するための方法であって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから前記画像における視認性の悪い部分のデータを抽出する画像部分データ抽出ステップと、
前記画像部分データ抽出ステップにおいて抽出された前記視認性の悪い部分のデータを、前記副表示装置に送信する画像部分データ送信ステップと、
前記表示データ取得ステップにおいて取得した表示データに基づき構成される画像を前記主表示部に表示する画像表示ステップと、を含むことを特徴としている。
これにより、発明３の画像表示システムと同等の効果が得られる。
【００８１】
〔発明４６〕  更に、発明４６の主表示装置制御方法は、発明４５の主表示装置制御方法において、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
これにより、発明５の画像表示システムと同等の効果が得られる。
【００８２】
〔発明４７〕  更に、発明４７の主表示装置制御方法は、発明４５又は発明４６の主表示装置制御方法において、前記画像表示システムの実施環境に係る環境情報と、前記視認性判断基準とを予め関連付け、
前記環境情報を取得する環境情報取得ステップを含み、
前記視認性判断ステップにおいては、前記解析結果と、前記視認性判断基準と、前記環境情報とに基づき、前記画像の視認性の善し悪しを判断することを特徴としている。
これにより、発明６の画像表示システムと同等の効果が得られる。
【００８３】
〔発明４８〕  更に、発明４８の主表示装置制御方法は、発明４７の主表示装置制御方法において、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
これにより、発明７の画像表示システムと同等の効果が得られる。
【００８４】
〔発明４９〕  更に、発明４９の主表示装置制御方法は、発明４５乃至発明４８のいずれか１の主表示装置制御方法において、前記視認性の悪い部分のデータを加工する画像部分データ加工ステップを含み、
前記画像部分データ送信ステップにおいては、前記画像部分データ加工ステップにおいて加工された前記視認性の悪い部分のデータを前記副表示装置に送信することを特徴としている。
これにより、発明８の画像表示システムと同等の効果が得られる。
【００８５】
〔発明５０〕  更に、発明５０の主表示装置制御方法は、発明４９の主表示装置制御方法において、前記部分画像データ加工ステップにおいては、前記視認性の悪い部分のデータによって構成される画像の表示形式が、前記副表示装置に適切な形式となるように前記視認性の悪い部分のデータを加工することを特徴としている。
これにより、発明９の画像表示システムと同等の効果が得られる。
【００８６】
〔発明５１〕  更に、発明５１の主表示装置制御方法は、発明４５乃至発明５０のいずれか１の主表示装置制御方法において、前記視認性判断基準を種類毎に段階的に設定し、
前記視認性判断ステップにおいては、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成ステップをコンピュータに実行させるためのプログラムを含むことを特徴としている。
これにより、発明１０の画像表示システムと同等の効果が得られる。
【００８７】
〔発明５２〕  一方、上記目的を達成するために、発明５２の表示データ処理装置制御方法は、表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記表示データ処理装置を制御するための方法であって、
前記表示データを取得する表示データ取得ステップと、
前記取得した表示データを解析する表示データ解析ステップと、
前記表示データ解析ステップにおける解析結果と、予め設定された、前記画像の視認性の善し悪しを判断するための視認性判断基準とに基づき、前記画像の視認性の善し悪しを判断する視認性判断ステップと、
前記視認性判断ステップにおける判断結果に基づき、前記表示データから視認性の悪い画像部分のデータを抽出する画像部分データ抽出ステップと、
前記画像部分データ抽出ステップにおいて抽出された前記視認性の悪い部分のデータを、前記副表示装置に送信する画像部分データ送信ステップと、を特徴としている。
これにより、発明４の画像表示システムと同等の効果が得られる。
【００８８】
〔発明５３〕  更に、発明５３の表示データ処理装置制御方法は、発明５２の表示データ処理装置制御方法において、前記視認性判断基準は、前記画像に含まれる文字画像のフォントサイズ、当該文字画像とその背景画像との色の組み合わせ、前記文字画像の文字の画数及び前記画像を構成する文字画像以外の画像部分のサイズの情報のうち、少なくとも１つに基づき設定されることを特徴としている。
これにより、発明５の画像表示システムと同等の効果が得られる。
【００８９】
〔発明５４〕  更に、発明５４の表示データ処理装置制御方法は、発明５２又は発明５３の表示データ処理装置制御方法において、前記画像表示システムの実施環境に係る環境情報と、前記視認性判断基準とを予め関連付け、
前記環境情報を取得する環境情報取得ステップを含み、
前記視認性判断ステップにおいては、前記解析結果と、前記視認性判断基準と、前記環境情報とに基づき、前記画像の視認性の善し悪しを判断することを特徴としている。
これにより、発明６の画像表示システムと同等の効果が得られる。
【００９０】
〔発明５５〕  更に、発明５５の表示データ処理装置制御方法は、発明５４の表示データ処理装置制御方法において、前記環境情報は、前記主表示部の表示領域のサイズ情報、自システムの実施場所における、前記主表示部の配置位置と、前記副表示部の設置位置又はその近傍との間の距離情報、前記実施場所の明るさ情報及びシステム利用者が前記実施場所における所定位置から前記主表示部を見たときの角度情報のうち少なくとも１つを含むことを特徴としている。
これにより、発明７の画像表示システムと同等の効果が得られる。
【００９１】
〔発明５６〕  更に、発明５６の表示データ処理装置制御方法は、発明５２乃至発明５５のいずれか１の表示データ処理装置制御方法において、前記視認性の悪い部分のデータを加工する画像部分データ加工ステップを含み、
前記画像部分データ送信ステップにおいては、前記画像部分データ加工ステップにおいて加工された前記視認性の悪い部分のデータを前記副表示装置に送信することを特徴としている。
これにより、発明８の画像表示システムと同等の効果が得られる。
【００９２】
〔発明５７〕  更に、発明５７の表示データ処理装置制御方法は、発明５６の表示データ処理装置制御方法において、前記部分画像データ加工ステップにおいては、前記視認性の悪い部分のデータによって構成される画像の表示形式が、前記副表示装置に適切な形式となるように前記視認性の悪い部分のデータを加工することを特徴としている。
これにより、発明９の画像表示システムと同等の効果が得られる。
【００９３】
〔発明５８〕  更に、発明５８の表示データ処理装置制御方法は、発明５２乃至発明５７のいずれか１の表示データ処理装置制御方法において、前記視認性判断基準を種類毎に段階的に設定し、
前記視認性判断ステップにおいては、前記段階的に設定された視認性判断基準に基づき、前記画像の視認性の善し悪しを判断し、
前記画像部分データ抽出手段は、前記段階的な判断結果に基づき、前記画像における各段階毎に視認性が悪いと判断された部分のデータを抽出し、
前記抽出した段階毎の前記視認性の悪い部分のデータに基づき、当該視認性の悪い部分のデータの画像の前記副表示部における表示内容を段階的に変更することが可能な段階表示データを生成する段階表示データ生成ステップを含むことを特徴としている。
これにより、発明１０の画像表示システムと同等の効果が得られる。
【００９４】
〔発明５９〕  一方、上記目的を達成するために、発明５９の副表示装置制御方法は、表示データ処理装置と、主表示装置と、副表示装置とを備え、前記主表示装置によって、表示データに基づき構成される画像を主表示部に表示し、前記副表示装置によって、前記表示データ処理装置において抽出された前記画像の一部を、前記主表示部とは別の副表示部に表示することが可能な画像表示システムに適用可能な前記副表示装置を制御するための方法であって、
前記表示データ処理装置から送信された前記視認性の悪い部分のデータを受信する画像部分データ受信ステップと、
前記画像部分データ受信ステップにおいて受信した前記視認性の悪い部分のデータに基づき構成される画像を前記副表示部に表示する画像部分表示ステップと、を含むことを特徴としている。
これにより、発明３又は発明４の画像表示システムと同等の効果が得られる。
【００９５】
〔発明６０〕  更に、発明６０の副表示装置制御方法は、発明５９の副表示装置制御方法において、システム利用者の操作に応じて、前記視認性の悪い部分の画像の前記副表示部における表示状態を段階的に変更できるように加工されたデータに基づき、前記段階毎の前記副表示部における表示内容を、段階的に変更することが可能な表示内容変更ステップを含むことを特徴としている。
これにより、発明１０の画像表示システムと同等の効果が得られる。
【発明を実施するための最良の形態】
【００９６】
〔第１の実施の形態〕
以下、本発明の第１の実施の形態を図面に基づき説明する。図１〜図１３は、本発明に係る画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法の第１の実施の形態を示す図である。
【００９７】
本実施の形態は、本発明に係る画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法を、図１に示すように、画像表示システム１に適用したものである。
まず、画像表示システム１の構成を図１に基づき説明する。
【００９８】
図１は、画像表示システム１の全体構成を示す図である。
画像表示システム１は、図１に示すように、表示データを取得すると共に、当該取得した表示データを解析し、当該表示データに基づき構成される画像の視認性の善し悪しを判断する等の処理を行う表示データ処理装置２と、表示データに基づき構成される画像を主表示部５に光投射する主表示装置３と、表示データに含まれた視認性の悪い画像部分を副表示部に表示する複数の副表示装置４と、主表示装置３から光投射された画像を表示する主表示部５（本実施形態においては、スクリーン）とを含んだ構成となっている。
【００９９】
更に、図２に基づき、表示データ処理装置２の詳細な構成を説明する。図２は、表示データ処理装置２の詳細構成を示すブロック図である。
表示データ処理装置２は、図２に示すように、データ通信部２ａと、表示データ取得部２ｂと、環境情報取得部２ｃと、データ制御部２ｄと、データ記憶部２ｅと、表示データ解析部２ｆと、視認性判断部２ｇと、画像部分データ抽出部２ｈと、データ加工部２ｉとを含み、データ制御部２ｄの制御指令に応じて、表示データ取得部２ｂ及び環境情報取得部２ｃにおいて、表示データ及び環境情報をそれぞれ取得し、表示データ解析部２ｆ、視認性判断部２ｇにおいて、環境情報及び予め設定された視認性判断基準に基づき、表示データに基づき構成される画像の視認性の善し悪しを判断し、画像部分データ抽出部２ｈにおいて、視認性の判断結果に基づき表示データから前記画像において視認性の悪いと判断された部分のデータ（以下、画像部分データと称す）を抽出し、データ加工部２ｉにおいて、当該抽出した画像部分データ及び表示データに基づき当該画像部分データに加工を施し、データ制御部２ｄにおいて、当該加工後の画像部分データをデータ通信部２ａを介して副表示装置４に送信する一方、その抽出元の表示データをデータ通信部２ａを介して主表示装置３に送信するように構成されている。
【０１００】
データ通信部２ａは、通信回線を介して外部装置との間でデータ送受信を行う機能を有しており、本実施の形態においては、主表示装置３、副表示装置４、その他ＰＣ等の外部装置との間のデータの送受信を行う。
表示データ取得部２ｂは、通信回線を介して接続された外部装置からデータ通信部２ａを介して表示データを取得したり、図示しない記憶媒体の接続部（または挿入部等）を介して、カード型の記憶媒体、ＵＳＢメモリ等から表示データを取得したりするなど、外部からの表示データを取得する機能を有している。なお、取得された表示データは、データ制御部２ｄを介してデータ記憶部２ｅに記憶される。
【０１０１】
環境情報取得部２ｃは、データ通信部２ａを介して外部装置から環境情報を取得したり、図示しない記憶媒体の接続部（または挿入部等）を介して、カード型の記憶媒体、ＵＳＢメモリ等から環境情報を取得したり、システム利用者が図示しない入力デバイス等を用いて入力した環境情報を取得したりするなど、外部からの環境情報を取得する機能を有している。なお、取得された環境情報は、データ制御部２ｄを介してデータ記憶部２ｅに記憶される。ここで、環境情報とは、画像表示システム１を実施する会場の情報（例えば、聴講者席と主表示部５との距離、明るさ等）や、画像表示システム１を利用するシステム利用者の情報（視力等）などのシステムの実施環境に係る情報である。
【０１０２】
データ制御部２ｄは、表示データ処理装置２の各構成部を統括制御する機能を有し、各部間のデータの授受や、各処理の流れ等を制御する。
データ記憶部２ｅは、表示データ取得部２ｂにおいて取得した表示データ、環境情報取得部２ｃにおいて取得した環境情報等の外部から取得したデータを記憶したり、視認性判断基準等の各処理に必要なデータを記憶したりする機能を有している。
【０１０３】
表示データ解析部２ｆは、表示データを解析して、当該表示データによって構成される画像に含まれる、文字画像、文字画像以外の画像等の情報（漢字文字の画数、サイズ、色、表示座標等）などを得る。
視認性判断部２ｇは、表示データ解析部２ｆの解析結果、環境情報及び視認性判断基準に基づき、表示データによって構成される画像に含まれる、文字画像や文字画像以外の画像の視認性の善し悪しを判断する。ここで、視認性判断基準は、本実施の形態において、環境情報と対になっており、環境情報に対する文字画像のサイズ、文字画像以外の画像のサイズ、漢字文字画像の画数などによって構成され、例えば、聴講者席から主表示部５までの距離と文字サイズが対になっており、各距離に対して所定のサイズ以下の文字画像が視認性が悪いと判断できるように基準が設定される。
【０１０４】
画像部分データ抽出部２ｈは、視認性判断部２ｇの判断結果に基づき、表示データから視認性の悪いと判断された画像部分のデータを抽出する。
データ加工部２ｉは、画像部分データ抽出部２ｈの抽出結果と、抽出元の表示データとに基づき、視認性の悪い画像部分データを加工する。ここで、データの加工は、予め設定された加工内容に応じて行われる。また、本実施の形態においては、抽出されたデータを副表示装置４において扱いやすいデータ形式に変換する。そして、加工且つ変換後の画像部分データ（以下、詳細データと称す）は、データ制御部２ｄにおいて、データ通信部２ａを介して副表示装置４に送信される。一方、画像部分データの抽出元の表示データも、データ制御部２ｄにおいてデータ通信部２ａを介して主表示装置３に送信される。
【０１０５】
ここで、表示データ処理装置２は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１０６】
更に、図３に基づき、主表示装置３の詳細な構成を説明する。図３は、主表示装置３の詳細構成を示すブロック図である。
主表示装置３は、図３に示すように、データ通信部３ａと、表示データ取得部３ｂと、データ記憶部３ｃと、画像投射部３ｄとを含み、表示データ取得部３ｂにおいてデータ通信部３ａを介して表示データを取得すると共に、当該取得した表示データをデータ記憶部３ｃに記憶し、画像投射部３ｄにおいて当該記憶した表示データの画像を主表示部５に向けて光投射するように構成されている。
【０１０７】
データ通信部３ａは、通信回線を介して外部装置との間でデータ送受信を行う機能を有しており、本実施の形態においては、表示データ処理装置２との間のデータの送受信を行う。
表示データ取得部３ｂは、データ通信部３ａを介して表示データ処理装置２から表示データを取得し、当該取得した表示データをデータ記憶部３ｃに記憶する機能を有している。
【０１０８】
データ記憶部３ｃは、表示データ取得部３ｂにおいて取得された表示データを記憶したり、その他、画像投射処理に必要なデータを記憶したりする機能を有している。
画像投射部３ｄは、データ記憶部３ｃに記憶された表示データに基づき、公知の液晶プロジェクタと同様の原理によって、当該表示データによって構成される画像を主表示部５に光投射する機能を有している。具体的には、超高圧水銀ランプやキセノンランプ等から成る光源と、照射面で一様な照度分布を得るためのフライアイレンズと、表示データに基づき、入射した光の波長領域のうちＲＧＢ３原色の輝度をそれぞれ変調する色変調部と、色変調部から入射した光を主表示部５に光投射する投射部とで構成されている。
【０１０９】
色変調部は、透過率を独立に制御可能な複数の画素をマトリクス状に配列した構成の３枚の液晶ライトバルブと、フィールドレンズと、特定色の光のみを透過しそれ以外の光を反射するダイクロイックミラーと、ミラーと、入射した各色の光を合成するダイクロイックプリズムとで構成されている。
投射部は、投射レンズにより、入射光を主表示部５に拡大投射するように構成されている。
【０１１０】
ここで、主表示装置３は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１１１】
更に、図４に基づき、副表示装置４の詳細な構成を説明する。図４は、副表示装置４の詳細構成を示すブロック図である。
副表示装置４は、図４に示すように、データ通信部４ａと、詳細データ取得部４ｂと、データ記憶部４ｃと、詳細データ表示部４ｄと、副表示部４ｅとを含み、詳細データ取得部４ｂにおいてデータ通信部４ａを介して詳細データを取得すると共に、当該取得した詳細データをデータ記憶部４ｃに記憶し、詳細データ表示部４ｄにおいて、当該記憶した詳細データに基づき、当該詳細データによって構成される画像を副表示部４ｅに表示するように構成されている。
【０１１２】
データ通信部４ａは、通信回線を介して外部装置との間でデータ送受信を行う機能を有しており、本実施の形態においては、表示データ処理装置２との間のデータの送受信を行う。
詳細データ取得部４ｂは、データ通信部４ａを介して表示データ処理装置２から詳細データを取得し、当該取得した詳細データをデータ記憶部４ｃに記憶する機能を有している。
【０１１３】
データ記憶部４ｃは、詳細データ取得部４ｂにおいて取得された詳細データを記憶したり、その他、画像表示処理に必要なデータを記憶したりする機能を有している。
詳細データ表示部４ｄは、データ記憶部４ｃに記憶された表示データに基づき、当該表示データによって構成される画像を副表示部４ｅに表示する機能を有している。本実施の形態において、副表示部４ｅは、アクティブマトリックス型の液晶パネルを有しており、詳細データ表示部４ｄは、詳細データに基づき、副表示部４ｅの液晶パネルの有するアクティブ素子を駆動する信号を発生してアクティブ素子を駆動して液晶の開閉制御を行い詳細データの画像を表示する。
【０１１４】
副表示部４ｅは、アクティブマトリックス型の液晶パネルを含んで構成されており、詳細データ表示部４ｄから供給される信号に応じてスイッチングトランジスタ等のアクティブ素子を駆動して液晶の開閉を行う。この液晶の開閉により、図示しないバックライトからの光を透過／遮蔽し、パネル上に画像を形成する。
ここで、副表示装置４は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１１５】
以下、図５〜図１０に基づき、画像表示システム１のより具体的な動作を説明する。ここでは、製品紹介等のプレゼンテーションに本システム１を適用した場合を例に挙げて説明する。本システム１の実施会場は、主表示部５（大型のスクリーン）が会場の正面に設置され、主表示部５を正面側にして複数の聴講者席が設置され、各聴講者席には、副表示装置４が配設されている。更に、主表示部５の傍には、発表者席が設けられており、発表者は、主表示部５に表示された画像をレーザポインタ等で指しながらプレゼンテーションを進行する。
【０１１６】
ここで、図５は、フォントサイズ、スクリーンサイズ及び実施会場における聴講者席の最後部とスクリーンとの間の距離により設定された視認性判断基準を示す図である。また、図６（ａ）は、主表示部に表示される表示データの画像の一例を示す図であり、（ｂ）は、（ａ）の画像に含まれる画像部分の情報の一例を示す図である。また、図７（ａ）は、主表示部に表示される表示データの画像の一例を示す図であり、（ｂ）及び（ｃ）は、副表示部に表示される画像の一例を示す図である。また、図８（ａ）は、画像部分データの加工処理の一例を示す図であり、（ｂ）は加工後に副表示部に表示される内容を示す図である。また、図９（ａ）、（ｂ）及び図１０（ａ）〜（ｄ）は、画像部分データの加工内容のバリエーションに応じた各表示内容の例を示す図である。
【０１１７】
まず、システム利用者は、画像表示システム１の実施環境の情報を図示しない入力デバイスにより入力する。環境情報が入力されると、環境情報取得部２ｃは、入力された環境情報を取得して、これをデータ記憶部２ｅに記憶する。本実施の形態においては、主表示部５であるスクリーンのサイズと、スクリーンから聴講者席の最後部までの距離とを環境情報として入力する。つまり、本実施の形態において、視認性判断基準は、図５に示すように、スクリーンのサイズ及びスクリーンから最後部までの距離に、フォントサイズ（文字画像のサイズ）を対応付けて視認性の善し悪しを判断する基準が設定される。
【０１１８】
次に、表示データ処理部２に、ＰＣ等の外部装置から表示データが送信されると、表示データ取得部２ｂは、データ通信部２ａを介して表示データを取得して、当該取得した表示データをデータ制御部２ｄを介してデータ記憶部２ｅに記憶する。
システム利用者の指示により処理が開始されると、データ制御部２ｄは、指定された表示データをデータ記憶部２ｅから読み出し、これを表示データ解析部２ｆに伝送する。表示データ解析部２ｆでは、表示データを解析して、当該表示データによって構成される画像に含まれる画像部分の情報を取得する。ここでは、表示データにより構成される画像が図６（ａ）に示す内容であり、この画像の解析結果として、図６（ｂ）に示すように、それぞれフォントサイズ８０、４８、２４の文字画像「ＡＢ」、「ＣＤＥ」、「ＸＸ」といった画像の構成情報が得られたとする。この構成情報は、視認性判断部２ｇに伝送される。視認性判断部２ｇは、表示データ解析部２ｆから解析結果を受け取ると、上記入力された環境情報と、図５に示す視認性判断基準と、解析結果とに基づき、図６（ａ）に示す表示データの画像に含まれる各画像部分（ここでは、同じフォントサイズの文字画像）毎に視認性の善し悪しを判断する。例えば、スクリーンサイズが６０［型］で、最後部席までの距離が２５［ｍ］であったとすると、この場合は、図５に示すように、フォントサイズ８０以上の文字画像が視認可能（視認性が善いと判断される）と判断され、フォントサイズ８０未満の文字画像が視認不可（視認性が悪いと判断される）と判断される。従って、文字画像「ＡＢ」は、フォントサイズが８０であるので視認性は善いと判断され、一方、文字画像「ＣＤＥ」及び「ＸＸ」は、それぞれフォントサイズが４８及び２４であり、両者とも８０未満であるので視認性は悪いと判断される。
【０１１９】
また、例えば、スクリーンサイズが４０［型］で、最後部席までの距離が２５［ｍ］であったとすると、この場合は、図５に示すように、フォントサイズの欄が「∞」となる。これは、フォントサイズに関係なく、画像に含まれる全ての文字画像が視認性が悪いと判断されることを意味する。なお、視認性の判断結果は、表示データと共に画像部分データ抽出部２ｈに伝送される。
【０１２０】
画像部分データ抽出部２ｈは、視認性判断部２ｇから判断結果を受け取ると、当該判断結果に基づき、表示データから視認性の悪いと判断された画像部分のデータを抽出する。なお、抽出された画像部分データは、表示データと共にデータ加工部２ｉに伝送される。
データ加工部２ｉは、画像部分データ抽出部２ｈから画像部分データ及び表示データを受け取ると、加工内容の設定内容に基づき、抽出された画像部分データ及び表示データから画像部分データを加工変換して詳細データを生成する。ここで、設定可能な加工内容としては、例えば、（１）抽出された画像部分データの画像をそのまま副表示部に表示する設定内容、（２）視認性の悪い文字画像とその周辺の文字画像との位置関係も一緒に副表示部に表示する設定内容、（３）文章や単語等の文字のつながりを考慮して副表示部に表示する設定内容、（４）読み仮名等の場合は対応する漢字も一緒に副表示部に表示する設定内容、（５）視認性の悪い文字画像を副表示部に拡大表示する設定内容、（６）全体の大きさのバランスを変えずに視認性の悪い文字画像及びその文字画像と関係する文字画像を拡大表示する設定内容、（７）周辺の文字画像に重ねて、視認性の悪い部分をポップアップして拡大表示する設定内容等がある。
【０１２１】
また、加工内容に応じて画像部分データの加工が施されると、加工後のデータを、副表示装置４の扱いやすいデータ形式に変換して詳細データを生成する。このようにして、生成された詳細データは、データ制御部２ｄにおいて、データ通信部２ａを介して副表示装置に送信される。一方、詳細データに対応した表示データも、データ制御部２ｄにおいて、データ通信部２ａを介して主表示装置３に送信される。
【０１２２】
主表示装置３は、データ通信部３ａを介して表示データ処理装置２から表示データを受信すると、表示データ取得部３ｂにおいて受信した表示データを取得して、当該取得した表示データをデータ記憶部３ｃに記憶する。画像投射部３ｄは、データ記憶部３ｃに表示データが記憶されると、当該記憶された表示データに基づき、当該表示データによって構成される画像を主表示部５に光投射表示する。光投射表示された画像は、図７（ａ）に示すように、主表示部５（スクリーン）に表示される。
【０１２３】
一方、各聴講者席に配設された副表示装置４は、データ通信部４ａを介して表示データ処理装置２から詳細データを受信すると、詳細データ取得部４ｂにおいて受信した詳細データを取得して、当該取得した詳細データをデータ記憶部４ｃに記憶する。詳細データ表示部４ｄは、データ記憶部４ｃに詳細データが記憶されると、当該記憶された詳細データに基づきアクティブ素子を駆動するための信号を生成し、生成した信号により副表示部４ｅのアクティブ素子を駆動して詳細データによって構成される画像を副表示部４ｅの液晶パネルに表示する。
【０１２４】
液晶パネルには、視認性判断部２ｇの判断結果及びデータ加工部２ｉの加工内容に応じて、文字画像の全てが視認性が悪いと判断され、且つ、上記（１）の設定内容に応じた加工が施された場合は、図７（ｂ）に示すように、全ての文字画像がそのまま副表示部に表示される。一方、フォントサイズ８０未満の文字画像（「ＣＤＥ」及び「ＸＸ」）が視認性が悪いと判断され、且つ、上記（２）の設定内容に応じた加工が施された場合は、図７（ｃ）に示すように、位置関係を示すサムネイル画像と共に、視認性の悪い文字画像（「ＣＤＥ」及び「ＸＸ」）が副表示部４ｅに表示される。
【０１２５】
更に、図８に基づき、詳細データの生成処理の一例を説明する。
ここでは、上記（２）の設定内容による加工処理を施して詳細データを生成する例を説明する。図８（ａ）に示すように、表示データの画像から、サムネイル画像（表示データの画像を縮小したもの）を生成する。次いで、表示データの解析結果、視認性の判断結果等から、表示データの画像に含まれる文字画像（正確には、副表示装置で扱える文字コード）の情報、各文字画像のフォントサイズ情報、各文字画像の表示位置情報（座標情報）及びフォントサイズ毎の視認性の判断結果の情報を得る。そして、サムネイル画像と、上記各種情報とをセットにして詳細データを生成する。このようにして生成された詳細データは、副表示装置４において、図８（ｂ）に示すように、サムネイル画像と、当該サムネイル画像からの引き出し線と、それぞれの引き出し線に対応する視認性の悪い文字画像との組み合わせにより副表示部４ｅに表示される。このように、視認性の悪いと判断された文字画像を、その位置情報と共に副表示装置４の副表示部４ｅに表示することにより、手元の副表示部４ｅに表示された内容が、主表示部５におけるどの部分に該当するのかを簡易に判断することが可能となる。
【０１２６】
更に、図９（ａ）、（ｂ）及び図１０（ａ）〜（ｄ）に基づき、加工内容に応じた副表示部の表示内容の一例を説明する。
図９（ａ）の例は、上記（６）の設定内容に応じた加工処理を施した場合である。これは、主表示部５に表示される「これはペンです。」という文字画像において、「ペン」の部分の文字画像が視認性が悪いと判断された場合で、副表示装置４においては、その前後の１文字を含めた「はペンで」の部分が、各文字画像の大きさの関係をそのままに全体が拡大されて副表示部４ｅに表示される。
【０１２７】
また、図９（ｂ）の例は、上記（７）の設定内容に応じた加工処理を施した場合である。これは、図９（ａ）の例と同様に、主表示部５に表示される「これはペンです。」という文字画像において、「ペン」の部分の文字画像が視認性が悪いと判断された場合で、副表示装置４においては、「これはペンです。」に重ねて「ペン」の部分が拡大且つポップアップされて副表示部４ｅに表示される。
【０１２８】
また、図１０（ａ）の例は、上記（５）の設定内容に応じた加工処理を施した場合である。これは、図９の例と同様に、主表示部５に表示される「これはペンです。」という文字画像において、「ペン」の部分の文字画像が視認性が悪いと判断された場合で、副表示装置４においては、「ペン」の文字画像部分のみが拡大されて副表示部４ｅに表示される。
【０１２９】
また、図１０（ｂ）の例は、上記（３）の設定内容に応じた加工処理を施した場合である。これも、図９の例と同様に、主表示部５に表示される「これはペンです。」という文字画像において、「ペン」の部分の文字画像が視認性が悪いと判断された場合で、副表示装置４においては、文章としてのつながりが考慮され、「これはペンです。」という文章がそのまま副表示部４ｅに表示される。しかも、この例では、「ペン」の部分も周りの文字のフォントに合わせて拡大表示される。
【０１３０】
また、図１０（ｃ）の例は、上記（３）の設定内容に応じた加工処理を施した場合である。これは、主表示部５に表示される「印刷する」という文字画像において、「する」の部分の文字画像が視認性が悪いと判断された場合で、副表示装置４においては、「印刷」という単語とのつながりが考慮されて、「印刷する」という文が副表示部４ｅに表示される。
【０１３１】
また、図１０（ｄ）の例は、上記（４）の設定内容に応じた加工処理を施した場合である。これは、主表示部５に表示される読み仮名付きの「水母（くらげ）」という文字画像の読み仮名の部分である「くらげ」の文字画像が視認性が悪いと判断された場合で、副表示装置４においては、「くらげ」の部分だけを副表示部４ｅに表示するのでは無く、「くらげ」と「水母」の文字画像をそのまま副表示部４ｅに表示する。
【０１３２】
更に、図１１に基づき、表示データ処理装置２の動作処理の流れを説明する。図１１は、表示データ処理装置２の動作処理を示すフローチャートである。表示データ処理装置２は、ＣＰＵにより、ＲＯＭの所定領域に格納されている所定のプログラムを起動させ、そのプログラムに従って、図１１のフローチャートに示す処理を実行するようになっている。
【０１３３】
図１１に示すように、まずステップＳ１００に移行し、表示データ取得部２ｂにおいて、データ通信部２ａが表示データを受信したか否かを判定し、受信したと判定された場合(Yes)はステップＳ１０２に移行し、そうでない場合(No)はステップＳ１２２に移行する。
ステップＳ１０２に移行した場合は、表示データ取得部２ｂにおいて、上記受信した表示データを取得し、当該取得した表示データをデータ制御部２ｄを介してデータ記憶部２ｅに記憶してステップＳ１０４に移行する。
【０１３４】
ステップＳ１０４では、データ制御部２ｄにおいて、図示しない入力デバイスを介してシステム利用者から処理の開始指示があったか否かを判定し、あったと判定された場合(Yes)はステップＳ１０６に移行し、そうでない場合(No)はステップＳ１００に移行する。
ステップＳ１０６に移行した場合は、データ制御部２ｄにおいて、環境情報は取得済みか否かを判定し、取得済みだと判定された場合(Yes)はステップＳ１０８に移行し、そうでない場合(No)はステップＳ１２０に移行する。
【０１３５】
ステップＳ１０８に移行した場合は、データ制御部２ｄにおいて、データ記憶部２ｅから指示に該当する表示データを読み出し、当該読み出した表示データを表示データ解析部２ｆに伝送してステップＳ１１０に移行する。
ステップＳ１１０では、表示データ解析部２ｆにおいて、データ制御部２ｄから受け取った表示データの解析を行い、解析結果及び表示データを視認性判断部２ｇに伝送してステップＳ１１２に移行する。
【０１３６】
ステップＳ１１２では、視認性判断部２ｇにおいて、表示データ解析部２ｆから受け取った解析結果並びに、データ制御部２ｄを介してデータ記憶部２ｅから読み出した、視認性判断基準及び環境情報とに基づき、表示データによって構成される画像の視認性の善し悪しを判断し、当該判断結果及び表示データを画像部分データ抽出部２ｈに伝送してステップＳ１１４に移行する。
【０１３７】
ステップＳ１１４では、画像部分データ抽出部２ｈにおいて、視認性判断部２ｇから受け取った判断結果及び表示データに基づき、表示データから視認性の悪いと判断された画像部分のデータを抽出し、当該抽出結果及び表示データをデータ加工部２ｉに伝送してステップＳ１１６に移行する。
ステップＳ１１６では、データ加工部２ｉにおいて、画像部分データ抽出部２ｈから受け取った抽出結果及び表示データ並びに、加工内容の設定内容に基づき、抽出された画像部分データの加工処理を行うと共に、加工後のデータを副表示装置の扱いやすいデータ形式に変換することで詳細データを生成し、当該生成した詳細データ及び表示データをデータ制御部２ｄに伝送してステップＳ１１８に移行する。
【０１３８】
ステップＳ１１８では、データ制御部２ｄにおいて、データ加工部２ｉから受け取った詳細データ及び表示データを、データ通信部２ａを介して、表示データは主表示装置３に送信し、詳細データは副表示装置４に送信してステップＳ１００に移行する。
一方、ステップＳ１０６において環境情報が取得されておらずステップＳ１２０に移行した場合は、図示しない表示部に環境情報を取得するように促すメッセージを表示してステップＳ１００に移行する。
【０１３９】
また、ステップＳ１００において、表示データが取得されずステップＳ１２２に移行した場合は、データ制御部２ｄにおいて、図示しない入力デバイスを介してシステム利用者から処理の開始指示があったか否かを判定し、あったと判定された場合(Yes)はステップＳ１２４に移行し、そうでない場合(No)はステップＳ１００に移行する。
ステップＳ１２４に移行した場合は、データ制御部２ｄにおいて、データ記憶部２ｅに開始指示に該当する表示データが記憶されているか否かを判定し、記憶されていると判定された場合(Yes)はステップＳ１０６に移行し、そうでない場合(No)はステップＳ１００に移行する。
【０１４０】
更に、図１２に基づき、主表示装置３の動作処理の流れを説明する。図１２は、主表示装置３の動作処理を示すフローチャートである。ここで、主表示装置３は、ＣＰＵにより、ＲＯＭの所定領域に格納されている所定のプログラムを起動させ、そのプログラムに従って、図１２のフローチャートに示す処理を実行するようになっている。
図１２に示すように、まずステップＳ２００に移行し、表示データ取得部３ｂにおいて、データ通信部３ａが表示データを受信したか否かを判定し、受信したと判定された場合(Yes)はステップＳ２０２に移行し、そうでない場合(No)は受信するまで待機する。
【０１４１】
ステップＳ２０２に移行した場合は、表示データ取得部３ｂにおいて、上記受信した表示データを取得してステップＳ２０４に移行する。
ステップＳ２０４では、表示データ取得部３ｂにおいて、上記取得した表示データをデータ記憶部３ｃに記憶してステップＳ２０６に移行する。
ステップＳ２０６では、画像投射部３ｄにおいて、表示データに基づき、当該表示データによって構成される画像を主表示部５に光投射表示してステップＳ２００に移行する。
【０１４２】
更に、図１３に基づき、副表示装置４の動作処理の流れを説明する。図１３は、副表示装置４の動作処理を示すフローチャートである。ここで、副表示装置４は、ＣＰＵにより、ＲＯＭの所定領域に格納されている所定のプログラムを起動させ、そのプログラムに従って、図１３のフローチャートに示す処理を実行するようになっている。
図１３に示すように、まずステップＳ３００に移行し、詳細データ取得部４ｂにおいて、データ通信部４ａが詳細データを受信したか否かを判定し、受信したと判定された場合(Yes)はステップＳ３０２に移行し、そうでない場合(No)は受信するまで待機する。
【０１４３】
ステップＳ３０２に移行した場合は、詳細データ取得部４ｂにおいて、上記受信した詳細データを取得してステップＳ３０４に移行する。
ステップＳ３０４では、詳細データ取得部４ｂにおいて、上記取得した詳細データをデータ記憶部４ｃに記憶してステップＳ３０６に移行する。
ステップＳ３０６では、詳細データ表示部４ｄにおいて、詳細データに基づき、投射表示部４ｅの液晶パネルの有するアクティブ素子の駆動信号を生成し、当該駆動信号により、アクティブ素子を駆動して液晶の開閉制御をすることで液晶パネルに詳細データの画像を表示してステップＳ３００に移行する。
【０１４４】
このようにして、本実施の形態では、表示データによって構成される画像を主表示部５に表示する一方、当該画像に含まれる視認性の悪い画像部分を聴講者毎に用意された副表示装置４の副表示部４ｅに表示する。
本システム１を、上記したようにプレゼンテーション等に適用することで、発表者の用意した表示データのうち視認性の悪い画像部分だけが聴講者の手元にある副表示装置４の副表示部４ｅに表示されることになるので、聴講者は、見づらい部分だけを手元の画面で確認し、それ以外の部分を見る場合には主表示部５の表示内容を見ることになる。つまり、必要外の情報を手元の画面に表示させないようにすることで、プレゼンテーション中において、聴講者にはなるべく主表示部５を見るようにさせ、且つ主表示部の表示内容において視認性の悪い部分については手元の画面で簡易に確認できるようにする。
【０１４５】
また、上記（１）〜（７）の加工内容に応じた加工処理を視認性の悪い画像部分データに施すことで、副表示部４ｅへの表示内容を工夫するようにしたので、聴講者は視認性の悪い部分の内容をより簡易に確認することができる。
上記第１の実施の形態において、データ通信部２ａ、表示データ取得部２ｂ、データ制御部２ｄ及びデータ記憶部２ｅによって行われる表示データの取得処理及び記憶処理は、発明２、３、４及び１９のいずれか１の表示データ取得手段に対応し、ステップＳ１００，Ｓ１０２は、発明３６又は発明５２の表示データ取得ステップに対応する。また、表示データ解析部２ｆは、発明２、３、４及び１９のいずれか１の表示データ解析手段に対応し、ステップＳ１１０は、発明３６又は発明５２の表示データ解析ステップに対応する。また、視認性判断部２ｇは、発明１〜４、６、１０、１９及び２１のいずれか１の視認性判断手段に対応する。また、ステップＳ１１２は、発明３６、３８、５２及び５４のいずれか１の視認性判断ステップに対応する。また、画像部分データ抽出部２ｈは、発明１〜４、１０及び１９のいずれか１の画像部分データ抽出手段に対応する。また、ステップＳ１１４は、発明３６又は発明５２の画像部分データ抽出ステップに対応する。また、データ加工部２ｉは、発明８、９、２３及び２４のいずれか１の画像部分データ加工手段に対応する。また、ステップＳ１１６は、発明４０又は発明５６の画像部分データ加工ステップに対応する。また、データ通信部２ａ及びデータ制御部２ｄによって行われる詳細データの送信処理は、発明８又は発明２３の画像部分データ送信手段に対応する。また、ステップＳ１１８は、発明４０又は発明５６の画像部分データ送信ステップに対応する。
【０１４６】
また、上記実施の形態において、画像投射部３ｄによる、表示データに基づく画像の主表示部５への光投射処理は、発明１〜４のいずれか１の画像表示手段に対応する。また、ステップＳ２０６は、発明２９又は発明４５の画像表示ステップに対応する。
また、上記実施の形態において、データ通信部４ａ、詳細データ取得部４ｂ及びデータ記憶部４ｃによる、詳細データの取得処理及び記憶処理は、発明３、４及び２６のいずれか１の画像部分データ受信手段に対応する。また、ステップＳ３００〜ステップＳ３０４は、発明４３又は発明５９の画像部分データ受信ステップに対応する。また、詳細データ表示部４ｄは、発明１〜４及び２６のいずれか１の画像部分表示手段に対応する。また、ステップＳ３０６は、発明４３又は発明５９の画像部分表示ステップに対応する。
【０１４７】
〔第２の実施の形態〕
更に、本発明の第２の実施の形態を図面に基づき説明する。図１４〜図は、本発明に係る画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法の第２の実施の形態を示す図である。
【０１４８】
本実施の形態は、本発明に係る画像表示システム、主表示装置、表示データ処理装置、副表示装置、主表示装置制御プログラム、表示データ処理装置制御プログラム、副表示装置制御プログラム、主表示装置制御方法、表示データ処理装置制御方法及び副表示装置制御方法を、図１４に示すように、画像表示システム６に適用したものである。
上記第１の実施の形態と異なるのは、主表示部５に画像を投射表示する主表示装置７が、上記第１の実施の形態における主表示装置３及び表示データ処理装置２の機能を有している点である。また、本実施の形態においては、画像面積、文字の画数及び文字色と背景色とにより設定される評価基準を用いた視認性の判断処理を行う点、及び副表示装置４において、副表示部への表示内容を段階的に切り替えることができるようにした点も上記第１の実施の形態と異なる。
【０１４９】
以下、上記第１の実施の形態と異なる部分についてのみ説明し、上記第１の実施の形態と重複する部分については同一の符号を付して説明を省略する。
まず、画像表示システム６の構成を図１４に基づき説明する。
図１４は、画像表示システム６の全体構成を示す図である。
画像表示システム６は、図１４に示すように、表示データを取得すると共に、当該取得した表示データを解析し、当該表示データに基づき構成される画像の視認性の善し悪しを判断する等の処理を行うと共に、表示データに基づき構成される画像を主表示部５に光投射する主表示装置７と、表示データに含まれた視認性の悪い画像部分を副表示部に表示する複数の副表示装置４と、主表示装置７から光投射された画像を表示する主表示部５（本実施形態においては、スクリーン）とを含んだ構成となっている。
【０１５０】
更に、図１５に基づき、主表示装置７の詳細な構成を説明する。図１５は、主表示装置７の詳細構成を示すブロック図である。
主表示装置７は、図１５に示すように、データ通信部２ａと、表示データ取得部２ｂと、環境情報取得部２ｃと、データ制御部２ｄと、データ記憶部２ｅと、表示データ解析部２ｆと、視認性判断部２ｇと、画像部分データ抽出部２ｈと、データ加工部２ｉと、画像投射部２ｊとを含み、データ制御部２ｄの制御指令に応じて、表示データ取得部２ｂ及び環境情報取得部２ｃにおいて、表示データ及び環境情報をそれぞれ取得し、表示データ解析部２ｆ、視認性判断部２ｇにおいて、環境情報及び予め設定された視認性判断基準に基づき、表示データに基づき構成される画像の視認性の善し悪しを判断し、画像部分データ抽出部２ｈにおいて、視認性の判断結果に基づき表示データから視認性の悪いと判断された画像部分のデータを抽出し、データ加工部２ｉにおいて、当該抽出した画像部分データ及び表示データに基づき当該画像部分データに加工を施し、データ制御部２ｄにおいて、当該加工後の画像部分データをデータ通信部２ａを介して副表示装置４に送信する一方、その抽出元の表示データに基づき画像投射部２ｊにおいて、当該表示データによって構成される画像を主表示部５に光投射表示するように構成されている。
【０１５１】
画像投射部２ｊは、データ制御部２ｄからの指令に応じて、データ記憶部２ｅに記憶された表示データに基づき、公知の液晶プロジェクタと同様の原理によって、当該表示データによって構成される画像を主表示部５に光投射する機能を有している。具体的な構成については、上記第１の実施の形態における、主表示装置３の画像投射部３ｄと同様であるので説明を省略する。
【０１５２】
以下、図１６〜図２３に基づき、画像表示システム６のより具体的な動作を説明する。ここでは、上記第１の実施の形態と同様に、製品紹介等のプレゼンテーションに本システム６を適用した場合を例に挙げて説明する。従って、本システム６の実施会場は、主表示部５（大型のスクリーン）が会場の正面に設置され、主表示部５を正面側にして複数の聴講者席が設置され、各聴講者席には、副表示装置４が配設されている。更に、主表示部５の傍には、発表者席が設けられており、発表者は、主表示部５に表示された画像をレーザポインタ等で指しながらプレゼンテーションを進行する。
【０１５３】
ここで、図１６は、画像面積（ドット数）、スクリーンサイズ及び実施会場における聴講者席の最後部とスクリーンとの間の距離により設定された視認性判断基準を示す図である。また、図１７（ａ）は、主表示部に表示される表示データの画像の一例を示す図であり、（ｂ）は、（ａ）の画像に含まれる画像部分の情報の一例を示す図である。また、図１８（ａ）及び（ｂ）は、副表示部に表示される画像の一例を示す図である。また、図１９は、文字画数、スクリーンサイズ及び実施会場における聴講者席の最後部とスクリーンとの間の距離により設定された視認性判断基準を示す図である。また、図２０（ａ）は、主表示部に表示される表示データの画像の一例を示す図であり、（ｂ）は、（ａ）の画像に含まれる画像部分の情報の一例を示す図である。また、図２１は、副表示部に表示される画像の一例を示す図である。また、図２２（ａ）は、副表示装置４における、表示内容の切り替え時の切り替えボタンの一例を示す図であり、（ｂ）は、表示内容の切り替え内容の一例を示す図であり、図２３（ａ）は、主表示部５に表示される画像の一例を示す図であり、（ｂ）〜（ｄ）は、（ａ）の表示画像に対して、表示内容の切り替えを行ったときの表示内容の一例を示す図である。
【０１５４】
まず、システム利用者は、画像表示システム６の実施環境の情報を図示しない入力デバイスにより入力する。環境情報が入力されると、環境情報取得部２ｃは、入力された環境情報を取得して、これをデータ記憶部２ｅに記憶する。本実施の形態においては、主表示部５であるスクリーンのサイズと、スクリーンから聴講者席の最後部までの距離とを環境情報として入力する。つまり、本実施の形態において、視認性判断基準は、図１６に示すように、スクリーンのサイズ及びスクリーンから最後部までの距離に、画像面積を対応付けて視認性の善し悪しを判断する基準が設定される。ここで、画像面積とは、表（文字画像を含むが一つの画像として扱われるものを含む）やグラフ等の文字画像以外の画像である。
【０１５５】
次に、主表示装置７に、カード型の記憶媒体等が接続されると、表示データ取得部２ｂは、記憶媒体に記憶された表示データを取得して、当該取得した表示データをデータ制御部２ｄを介してデータ記憶部２ｅに記憶する。
システム利用者の指示により処理が開始されると、データ制御部２ｄは、指定された表示データをデータ記憶部２ｅから読み出し、これを表示データ解析部２ｆに伝送する。表示データ解析部２ｆでは、表示データを解析して、当該表示データによって構成される画像に含まれる画像部分の情報を取得する。ここでは、表示データにより構成される画像が図１７（ａ）に示す内容であり、この画像の解析結果として、図１７（ｂ）に示すように、それぞれ画像面積１６００００、８８０００、４４０００の画像「○」、「△」、「□」といった構成情報が得られたとする。この構成情報は、視認性判断部２ｇに伝送される。視認性判断部２ｇは、表示データ解析部２ｆから解析結果を受け取ると、上記入力された環境情報と、図１６に示す視認性判断基準と、解析結果とに基づき、図１７（ａ）に示す表示データの画像に含まれる各画像部分毎に視認性の善し悪しを判断する。例えば、スクリーンサイズが８０［型］で、最後部席までの距離が２５［ｍ］であったとすると、この場合は、図１６に示すように、画像面積８００００以上の画像が視認可能（視認性が善いと判断される）と判断され、フォントサイズ８００００未満の画像が視認不可（視認性が悪いと判断される）と判断される。従って、画像「○」及び「△」は、画像面積がそれぞれ１６００００及び８８０００であるので視認性は善いと判断され、一方、画像「□」は、画像面積が４４０００であり、８００００未満であるので視認性は悪いと判断される。
【０１５６】
また、例えば、スクリーンサイズが４０［型］で、最後部席までの距離が２５［ｍ］であったとすると、この場合は、図１６に示すように、画像面積の欄が「∞」となる。これは、画像面積に関係なく、画像に含まれる全ての文字画像以外の画像部分の視認性が悪いと判断されることを意味する。なお、視認性の判断結果は、表示データと共に画像部分データ抽出部２ｈに伝送される。
【０１５７】
画像部分データ抽出部２ｈは、視認性判断部２ｇから判断結果を受け取ると、当該判断結果に基づき、表示データから視認性の悪いと判断された画像部分のデータを抽出する。なお、抽出された画像部分データは、表示データと共にデータ加工部２ｉに伝送される。
データ加工部２ｉは、画像部分データ抽出部２ｈから画像部分データ及び表示データを受け取ると、加工内容の設定内容に基づき、抽出された画像部分データ及び表示データから画像部分データを加工変換して詳細データを生成する。ここで、設定可能な加工内容は、上記第１の実施の形態における（１）〜（７）と同様である。
【０１５８】
また、加工内容に応じて画像部分データの加工が施されると、加工後のデータを、副表示装置４の扱いやすいデータ形式に変換して詳細データを生成する。このようにして、生成された詳細データは、データ制御部２ｄにおいて、データ通信部２ａを介して副表示装置４に送信される。一方、詳細データに対応した表示データに基づき、画像投射部３ｊにおいて、当該表示データによって構成される画像が主表示部５に光投射表示される。
【０１５９】
一方、各聴講者席に配設された副表示装置４は、データ通信部４ａを介して表示データ処理装置２から詳細データを受信すると、詳細データ取得部４ｂにおいて受信した詳細データを取得して、当該取得した詳細データをデータ記憶部４ｃに記憶する。詳細データ表示部４ｄは、データ記憶部４ｃに詳細データが記憶されると、当該記憶された詳細データに基づきアクティブ素子を駆動するための信号を生成し、生成した信号により副表示部４ｅのアクティブ素子を駆動して詳細データによって構成される画像を副表示部４ｅの液晶パネルに表示する。
【０１６０】
液晶パネルには、視認性判断部２ｇの判断結果及びデータ加工部２ｉの加工内容に応じて、画像面積８００００未満の画像部分（「□」）の視認性が悪いと判断され、且つ、上記（１）の設定内容に応じた加工が施された場合は、図１８（ａ）に示すように、抽出された画像「□」だけがそのまま副表示部に表示される。一方、画像面積８００００未満の画像部分（「□」）の視認性が悪いと判断され、且つ、上記（２）の設定内容に応じた加工が施された場合は、図１８（ｂ）に示すように、位置関係を示すサムネイル画像と共に、視認性の悪い画像部分（「□」）が副表示部４ｅに表示される。
【０１６１】
更に、図１９に示す判断基準例を用いた処理を説明する。図１９に示すように、文字画数、スクリーンサイズ及び実施会場における聴講者席の最後部とスクリーンとの間の距離により視認性判断基準が設定されている。ここで、本実施の形態において、文字画数は漢字のみを対象としたものである。
システム利用者の指示により処理が開始されると、データ制御部２ｄは、指定された表示データをデータ記憶部２ｅから読み出し、これを表示データ解析部２ｆに伝送する。表示データ解析部２ｆでは、表示データを解析して、当該表示データによって構成される画像に含まれる画像部分の情報を取得する。ここでは、表示データにより構成される画像が図２０（ａ）に示す内容であり、この画像の解析結果として、図２０（ｂ）に示すように、それぞれ画数１３、１９、１７、２０の文字画像「意」、「識」、「朦」、「朧」といった構成情報がそれぞれ得られたとする。この構成情報は、視認性判断部２ｇに伝送される。視認性判断部２ｇは、表示データ解析部２ｆから解析結果を受け取ると、上記入力された環境情報と、図１９に示す視認性判断基準と、解析結果とに基づき、図２０（ａ）に示す表示データの画像に含まれる各画像部分毎に視認性の善し悪しを判断する。例えば、スクリーンサイズが２００［型］で、最後部席までの距離が１５［ｍ］であったとすると、この場合は、図１９に示すように、画数１９未満の画像が視認可能（視認性が善いと判断される）と判断され、画数１９以上の画像が視認不可（視認性が悪いと判断される）と判断される。従って、文字画像「意」及び「朦」は、画数がそれぞれ１３及び１７であり、画数１９未満であるので視認性は善いと判断され、一方、文字画像「識」及び「朧」は、画数がそれぞれ１９及び２０であり、画数１９以上であるので視認性は悪いと判断される。
【０１６２】
また、例えば、スクリーンサイズが４０［型］で、最後部席までの距離が２５［ｍ］であったとすると、この場合は、図１９に示すように、画数の欄が「∞」となる。これは、文字画像（漢字）の画数に関係なく、画像に含まれる全ての文字画像（漢字）の視認性が悪いと判断されることを意味する。なお、視認性の判断結果は、表示データと共に画像部分データ抽出部２ｈに伝送される。
【０１６３】
最終的に、副表示装置４の液晶パネルには、視認性判断部２ｇの判断結果及びデータ加工部２ｉの加工内容に応じて、画数１９以上の文字画像（「識」及び「朧」）の視認性が悪いと判断され、且つ、上記（１）の設定内容に応じた加工が施された場合は、図２１に示すように、抽出された文字画像「識」及び「朧」だけがそのまま副表示部に表示される。
【０１６４】
更に、図２２及び図２３に基づき、画像表示システム６において、副表示装置４の操作により副表示部４ｅの表示内容を段階的に切り替えることが可能な場合の処理について説明する。本実施の形態において、主表示装置７の操作者が、該装置７において副表示装置４側で段階的な表示をさせる段階表示モードの設定を行うことで、段階的な表示をさせるための詳細データの生成処理が行われる。
【０１６５】
主表示装置７は、段階表示モードが設定されると、副表示装置４において、副表示部４ｅの表示内容の段階的な切り替えを可能とするために、実際のスクリーンから最後部席までの距離に対する、視認性判断基準における該当距離の前後所定範囲の距離に対しても視認性の判断を行う。本実施の形態においては、環境情報として入力された実際の距離に該当する視認性判断基準の距離に対して、当該視認性判断基準において設定されたその前後の距離に対する視認性も判断し、各距離に対する詳細データをそれぞれ生成する。例えば、図２２（ｂ）に示す、視認性判断基準において、入力された環境情報から、実施会場におけるスクリーンから最後部席までの距離が８［ｍ］であったとすると、主表示装置７の視認性判断部２ｇにおいては、８［ｍ］に対する詳細データだけでなく、視認性判断基準に設定されたその前後の距離、５［ｍ］及び１０［ｍ］についても視認性を判断し、画像部分データ抽出部２ｈにおいては、これら各距離の視認性判断結果に基づき、各距離毎に画像部分データを抽出し、データ加工部２ｉにおいては、画像部分データ抽出部２ｈの抽出結果に基づいて各距離毎の詳細データを生成する。具体的には、例えば、スクリーンサイズが６０［型］で、最後部席までの距離が８［ｍ］であったとすると、この場合は、フォントサイズ１０以上の文字画像が視認性が善いと判断され、フォントサイズ１０未満の文字画像が視認性が悪いと判断される。ここで、主表示部５の表示内容は、図２３（ａ）に示すような内容であり、表示された画像中の文字画像「ＡＢ」はフォントサイズ１９で、「ＣＤＥ」はフォントサイズ９で、「ＸＸ」はフォントサイズ８であるとする。主表示装置７は、スクリーンから最後部席までの距離が８［ｍ］の場合は、文字画像「ＣＤＥ」及び「ＸＸ」を視認性が悪いと判断し、副表示部４ｅの表示内容が図２３（ｃ）に示す内容となる詳細データを生成する。一方、スクリーンから最後部席までの距離が５［ｍ］の場合は、文字画像「ＸＸ」を視認性が悪いと判断し、副表示部４ｅの表示内容が図２３（ｂ）に示す内容となる詳細データを生成する。更に、スクリーンから最後部席までの距離が１０［ｍ］の場合は、全ての文字画像を視認性が悪いと判断し、副表示部４ｅの表示内容が図２３（ｂ）に示す内容となる詳細データを生成する。そして、副表示装置４に対しては、これら生成された３つの詳細データを切り替え可能な状態（例えば、副表示装置４で実行可能な切り替えプログラムを付加する）で送信する。
【０１６６】
副表示装置４は、各距離毎に表示内容を切り替え可能な詳細データを受信すると、この詳細データに基づき副表示部４ｅへの画像表示処理を行う。その結果、副表示部４ｅには、スクリーンから最後部席までの距離が８［ｍ］の場合に対応した画像（図２３（ｃ））と共に、図２２（ａ）に示す切り替えボタンの画像が表示される。システム利用者は、例えば、図示しない副表示装置４に付属のマウスパッド等の入力デバイスによって、この切り替えボタンにおける情報量増に対応したボタン（上三角）をクリック（押下）することで、副表示部４ｅの表示内容が、最後部席までの距離が１０［ｍ］の場合に対応した画像（図２３（ｄ））に切り替わり、一方、情報量減に対応したボタン（下三角）をクリック（押下）することで、副表示部４ｅの表示内容が、最後部席までの距離が５［ｍ］の場合に対応した画像（図２３（ｂ））に切り替わる。つまり、図２３（ｂ）〜（ｃ）に示すように、切り替えボタンの操作によって、３種類の表示内容を段階的に任意に切り替えることができる。これにより、システム利用者は、自己の視力等に応じて任意に表示内容を切り替えることが可能となるので、システム利用者毎に異なる視認性に柔軟に対応することが可能となる。
【０１６７】
更に、図２４に基づき、主表示装置７の動作処理の流れを説明する。図２４は、主表示装置７の動作処理を示すフローチャートである。主表示装置７は、ＣＰＵにより、ＲＯＭの所定領域に格納されている所定のプログラムを起動させ、そのプログラムに従って、図２４のフローチャートに示す処理を実行するようになっている。ここで、図２４のフローチャートにおけるステップＳ４００〜ステップＳ４１６の処理、並びにステップＳ４２２〜ステップＳ４２６の処理は、上記第１の実施の形態における、図１１のフローチャートにおけるステップＳ１００〜ステップＳ１１６の処理、並びにステップＳ１２０〜ステップＳ１２４の処理と同様であるので説明を省略する。従って、ここでは、ステップＳ４１８及びステップＳ４２０のみ説明する。
【０１６８】
ステップＳ４１８では、データ制御部２ｄにおいて、データ加工部２ｉから受け取った詳細データを、データ通信部２ａを介して副表示装置４に送信し、一方、画像投射部２ｊに画像投射指示と共に表示データを伝送してステップＳ４２０に移行する。
ステップＳ４２０では、データ制御部２ｄからの画像投射指示及び表示データに応じて、画像投射部２ｊにおいて、表示データに基づき、当該表示データによって構成される画像を主表示部５に光投射表示してステップＳ４００に移行する。
【０１６９】
更に、図２５に基づき、副表示部４ｅの表示内容を段階的に切り替えることが可能な場合の副表示装置４の動作処理の流れを説明する。図２５は、副表示部４ｅの表示内容を段階的に切り替えることが可能な場合の副表示装置４の動作処理を示すフローチャートである。
図２５に示すように、まずステップＳ５００に移行し、詳細データ取得部４ｂにおいて、データ通信部４ａが詳細データを受信したか否かを判定し、受信したと判定された場合(Yes)はステップＳ５０２に移行し、そうでない場合(No)は受信するまで待機する。
【０１７０】
ステップＳ５０２に移行した場合は、詳細データ取得部４ｂにおいて、上記受信した詳細データを取得してステップＳ５０４に移行する。
ステップＳ５０４では、表示データ取得部４ｂにおいて、上記取得した詳細データをデータ記憶部４ｃに記憶してステップＳ５０６に移行する。
ステップＳ５０６では、詳細データ表示部４ｄにおいて、上記記憶された詳細データが切替機能付詳細データであるか否かを判定し、切替機能付詳細データであると判定された場合(Yes)はステップＳ５０８に移行し、そうでない場合(No)はステップＳ５２８に移行する。
【０１７１】
ステップＳ５０８に移行した場合は、切替機能付詳細データに付属の切替プログラムを実行してステップＳ５１０に移行する。
ステップＳ５１０では、実際の環境情報に該当する詳細データに基づき、投射表示部４ｅの液晶パネルの有するアクティブ素子の駆動信号を生成し、当該駆動信号により、アクティブ素子を駆動して液晶の開閉制御をすることで液晶パネルに詳細データの画像を表示してステップＳ５１２に移行する。
【０１７２】
ステップＳ５１２では、詳細データ表示部４ｄにおいて、表示内容の切替ボタンが押下されたか否かを判定し、押下されたと判定された場合(Yes)はステップＳ５１４に移行し、そうでない場合(No)はステップＳ５２６に移行する。
ステップＳ５１４に移行した場合は、詳細データ表示部４ｄにおいて、上記押下されたボタンが情報量増加ボタンか否かを判定し、情報量増加ボタンであると判定された場合(Yes)はステップＳ５１６に移行し、そうでない場合(No)はステップＳ５１２に移行する。
【０１７３】
ステップＳ５１６に移行した場合は、詳細データ表示部４ｄにおいて、現在の表示内容から増加方向への切替が可能か否かを判定し、可能であると判定された場合(Yes)はステップＳ５１８に移行し、そうでない場合(No)はステップＳ５２０に移行する。
ステップＳ５１８に移行した場合は、詳細データ表示部４ｄにおいて、現在の表示内容に対して１段階情報量を増加又は減少させる詳細データに基づき、投射表示部４ｅの液晶パネルの有するアクティブ素子の駆動信号を生成し、当該駆動信号により、アクティブ素子を駆動して液晶の開閉制御をすることで、現在の表示内容に変えて、液晶パネルに情報量増加又は減少に対応した詳細データの画像を表示してステップＳ５１２に移行する。
【０１７４】
一方、ステップＳ５２０に移行した場合は、詳細データ表示部４ｄにおいて、現在の表示内容に対して、情報量増加に対応した詳細データは無いので、表示内容の切替を拒否してステップＳ５１２に移行する。
また、ステップＳ５１４において、情報量増加ボタンではなくて情報量減少ボタンが押下されステップＳ５２２に移行した場合は、詳細データ表示部４ｄにおいて、現在の表示内容から減少方向への切替が可能か否かを判定し、可能であると判定された場合(Yes)はステップＳ５１８に移行し、そうでない場合(No)はステップＳ５２４に移行する。
【０１７５】
ステップＳ５２４に移行した場合は、詳細データ表示部４ｄにおいて、現在の表示内容に対して、情報量減少に対応した詳細データは無いので、表示内容の切替を拒否してステップＳ５１２に移行する。
また、ステップＳ５１２において、ボタンが押下されずステップＳ５２６に移行した場合は、詳細データ取得部４ｂにおいて、データ通信部４ａが詳細データを受信したか否かを判定し、受信したと判定された場合(Yes)はステップＳ５０２に移行し、そうでない場合(No)はステップＳ５１２に移行する。
【０１７６】
また、ステップＳ５０６において、取得した詳細データが切替機能付きでは無くステップＳ５２８に移行した場合は、詳細データ表示部４ｄにおいて、詳細データに基づき、投射表示部４ｅの液晶パネルの有するアクティブ素子の駆動信号を生成し、当該駆動信号により、アクティブ素子を駆動して液晶の開閉制御をすることで液晶パネルに詳細データの画像を表示してステップＳ５００に移行する。
【０１７７】
このようにして、本実施の形態では、表示データによって構成される画像を主表示部５に表示する一方、当該画像に含まれる視認性の悪い画像部分を聴講者毎に用意された副表示装置４の副表示部４ｅに表示する。
本システム６を、上記したようにプレゼンテーション等に適用することで、発表者の用意した表示データのうち視認性の悪い画像部分だけが聴講者の手元にある副表示装置４の副表示部４ｅに表示されることになるので、聴講者は、見づらい部分だけを手元の画面で確認し、それ以外の部分を見る場合には主表示部５の表示内容を見ることになる。つまり、必要外の情報をなるべく手元の画面に表示させないようにすることで、プレゼンテーション中において、聴講者にはなるべく主表示部５を見るようにさせ、且つ主表示部の表示内容において視認性の悪い部分については手元の画面で簡易に確認できるようにする。
【０１７８】
また、上記（１）〜（７）の加工内容に応じた加工処理を視認性の悪い画像部分データに施すことで、副表示部４ｅへの表示内容を工夫するようにしたので、聴講者は視認性の悪い部分の内容をより簡易に確認することができる。
また、副表示装置４において、副表示部４ｅの表示内容を所定範囲内において段階的に任意に変更できるようにしたので、視力等によって聴講者毎に異なる視認性に柔軟に対応することができる。
【０１７９】
上記第２の実施の形態において、データ通信部２ａ、表示データ取得部２ｂ、データ制御部２ｄ及びデータ記憶部２ｅによって行われる表示データの取得処理及び記憶処理は、発明２、３、４及び１１のいずれか１の表示データ取得手段に対応し、ステップＳ４００，Ｓ４０２は、発明２９又は発明４５の表示データ取得ステップに対応する。また、表示データ解析部２ｆは、発明２、３、４及び１１のいずれか１の表示データ解析手段に対応し、ステップＳ４１０は、発明２９又は発明４５の表示データ解析ステップに対応する。また、視認性判断部２ｇは、発明１〜４、６、１０、１１及び１３のいずれか１の視認性判断手段に対応する。また、ステップＳ４１２は、発明２９、３１、４５及び４７のいずれか１の視認性判断ステップに対応する。また、画像部分データ抽出部２ｈは、発明１〜４、１０及び１１のいずれか１の画像部分データ抽出手段に対応する。また、ステップＳ４１４は、発明２９又は発明４５の画像部分データ抽出ステップに対応する。また、データ加工部２ｉは、発明８、９、１５及び１６のいずれか１の画像部分データ加工手段に対応する。また、ステップＳ４１６は、発明３３又は発明４９の画像部分データ加工ステップに対応する。また、データ通信部２ａ及びデータ制御部２ｄによって行われる詳細データの送信処理は、発明８又は発明１５の画像部分データ送信手段に対応する。また、ステップＳ４１８は、発明３３又は発明４９の画像部分データ送信ステップに対応し、画像投射部２ｊによる、表示データに基づく画像の主表示部５への光投射処理は、発明１〜３及び１１のいずれか１の画像表示手段に対応する。また、ステップＳ４２０は、発明２９又は発明４５の画像表示ステップに対応する。また、視認性判断部２ｇ、画像部分データ抽出部２ｈ及データ加工部２ｉにおいて行われる切替機能付詳細データの生成処理は、発明１０又は発明１７の段階表示データ生成手段に対応する。また、切替機能付詳細データの生成処理時のステップＳ４１２〜ステップＳ４１６は、発明３５又は発明５１の段階表示データ生成ステップに対応する。
【０１８０】
また、上記実施の形態において、データ通信部４ａ、詳細データ取得部４ｂ及びデータ記憶部４ｃによる、詳細データの取得処理及び記憶処理は、発明３、４及び２６のいずれか１の画像部分データ受信手段に対応する。また、ステップＳ３００〜ステップＳ３０４は、発明４３又は発明５９の画像部分データ受信ステップに対応する。また、詳細データ表示部４ｄは、発明１〜４及び２６のいずれか１の画像部分表示手段に対応する。また、ステップＳ３０６は、発明４３又は発明５９の画像部分表示ステップに対応する。また、図示しない入力デバイスの操作及び詳細データ表示部４ｄによって行われる、副表示部４ｅの表示内容の切替処理は、発明１０又は発明２７の表示内容変更手段に対応する。また、ステップＳ５１２〜ステップＳ５２６は、発明４４又は発明６０の表示内容変更ステップに対応する。
【０１８１】
〔変形例１〕
上記第２の実施の形態においては、主表示装置７に上記第１の実施の形態における表示データ処理装置２及び主表示装置３の機能を持たせるようにしたが、これに限らず、図２６に示すように、主表示装置７と主表示部５とを一体化させた構成としても良い。ここで、図２６は、画像表示システム８の全体構成を示す図である。
【０１８２】
画像表示システム８は、図２６に示すように、表示データを取得すると共に、当該取得した表示データを解析し、当該表示データに基づき構成される画像の視認性の善し悪しを判断する等の処理を行い、且つ表示データに基づき構成される画像を主表示部に光投射する主表示装置８と、表示データに含まれた視認性の悪い画像部分を副表示部に表示する複数の副表示装置４とを含んだ構成となっている。
【０１８３】
つまり、プロジェクタ内蔵の大型ディスプレイ、大型の液晶ディスプレイ、大型のプラズマディスプレイ等に、上記第１の実施の形態における表示データ処理装置２と同等の機能を内蔵させることで、システム構成を簡易化することが可能である。これにより、コスト低減が望める。
〔変形例２〕
上記第１の実施の形態及び第２の実施の形態においては、環境情報と対応付けられた視認性判断基準を用いることで、システムの実施環境に応じた視認性の判断を行うようにしたが、これに限らず、視認性判断基準だけで視認性の善し悪しを判断するようにしても良い。また、視認性の判断基準も、上記第１の実施の形態及び第２の実施の形態で述べた、文字画像のサイズ、文字画像以外の画像のサイズ、文字画像の文字画数に限らず、別の判断基準を用いても良い。
【０１８４】
例えば、視認性判断基準を、文字画像の色、その背景色及び色相環により設定する場合の例を説明する。
図２７は、視認性判断基準を、文字画像とその背景色と色相環とにより設定する一例を示す図であり、（ａ）は、色相環を示す図であり、（ｂ）及び（ｃ）は文字画像とその背景色との組み合わせの一例を示す図である。ここで、色相環とは、赤、橙、黄、緑、青、紫に、赤紫を追加し、この７色を環状に配したものである。実際の色相環の表示においては、赤、赤みの橙、黄橙、黄色、黄緑、緑、青緑、緑青、青、青紫、紫、赤紫が環状に連続する。つまり、隣合う色との混色が上記した７色の間を補間する。 
【０１８５】
図２７（ａ）に示すように、例えば、文字色が黄色であった場合に、その背景色が色相環における黄橙、黄色、黄緑の範囲に含まれる場合において、文字の部分が背景色の黄色成分により影響を受けて両者のコントラストが低下し見づらくなるため、このような場合は視認性が悪いと判断する。一方、黄橙、黄色、黄緑以外の範囲に含まれる場合においては、文字の部分は影響を受けないので視認性が善いと判断する。このように、背景色が色相環において文字画像と同じ色を含む範囲にある場合に視認性が悪いと判断するような視認性判断基準を設定する。つまり、文字画像の背景色が、色相環において、文字画像と同じ色を含む範囲内に該当しないときは、図（ｂ）に示すように、コントラストが高くなり文字画像の視認性は善く、一方、文字画像の背景色が、色相環において、文字画像と同じ色を含む範囲内に該当するときは、図（ｂ）に示すように、コントラストが低くなり文字画像の視認性は著しく悪くなる。
【０１８６】
このような視認性判断基準を、上記第１の実施の形態及び第２の実施の形態における画像表示システムに適用することによって、主表示部の表示情報の中に、文字色とその背景色との組み合わせにより視認性の悪くなる表示内容があった場合に、その部分の画像を副表示部に表示することが可能となるので、このような表示により、システム利用者の表示情報の理解を妨げるのを防ぐことが可能となる。
【０１８７】
更に、別の判断基準の例を、図２８に基づき説明する。ここで、図２８は、画像の重なりに対応して視認性の判断を行う一例を示す図である。
スクリーン等の被表示部に画像を光投射して表示する液晶プロジェクタ等の投射型表示装置においては、ＰＣ等を接続して、当該ＰＣ上で実行されるアプリケーションの表示画面をそのまま被表示部に投射表示する構成が可能である。このような構成では、ＰＣ等を操作することによって、現在表示されている画像の一部に別の画像を重ねて表示したりすることなどが可能である。
【０１８８】
例えば、上記第２の実施の形態において、主表示装置７が自己に接続されたＰＣにおいて実行されるアプリケーションの画面を主表示部５に投射表示可能であるとした場合に、主表示部５に、図２８（ａ）に示すような画像が表示されているとする。このとき、発表者のＰＣの操作によって、図２８（ｂ）に示すように、図２８（ａ）に示す表示内容に重ねて画像２２０が重ねて表示されると、図２８（ａ）に示す表示内容の一部が重ねて表示された画像２２０によって見えなくなってしまう。つまり、このようなときに、視認性が悪いと判断するような視認性判断基準を設定すると共に、隠れた部分の表示内容を副表示部に表示する。これにより、主表示部の表示情報の一部が別の画像によって隠れてしまうような状況が発生しても、その部分の画像を副表示部に表示することが可能となるので、このような状況により、システム利用者の表示情報の理解を妨げるのを防ぐことが可能となる。
【０１８９】
なお、上記実施の形態において、環境情報として、主表示部５であるスクリーンから最後部席までの距離を用いたが、これに限らず、システムを実施する会場の明るさ、聴講者の視力など、別の情報を環境情報として用いても良い。
また、副表示部４ｅに視認性の悪い情報を表示する際に、それが主表示部に表示された情報におけるどの部分の情報であるか解り易く表示し、且つ、聴講者が主表示部５に表示された情報をなるべく見るようにする工夫としては、上記実施の形態において述べた方法に限らず、視認性の悪い情報とその周辺の情報を合わせて表示する際に、周辺の情報の解像度を落として表示する等の他の方法を用いても良いし、上記実施の形態において述べた方法と他の方法とを組合わせて用いても良い。
【０１９０】
また、聴講者が主表示部５に表示された情報をなるべく見るようにする工夫としては、上記実施の形態において述べた方法以外にも、視認性の悪い情報を副表示部に一定時間だけ表示する、発表者が聴講者に主表示部を見て欲しいときには、その旨を示すメッセージ等を副表示部に表示するなどの他の方法を用いても良いし、上記実施の形態における方法と他の方法とを組み合わせて用いても良い。
【０１９１】
また、上記実施の形態において、図１１〜１３、２４及び図２５のフローチャートに示す処理を実行するにあたっては、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【図面の簡単な説明】
【０１９２】
【図１】画像表示システム１の全体構成を示す図である。
【図２】表示データ処理装置２の詳細構成を示すブロック図である。
【図３】主表示装置３の詳細構成を示すブロック図である。
【図４】副表示装置４の詳細構成を示すブロック図である。
【図５】フォントサイズ、スクリーンサイズ及び実施会場における聴講者席の最後部とスクリーンとの間の距離により設定された視認性判断基準を示す図である。
【図６】（ａ）は、主表示部に表示される表示データの画像の一例を示す図であり、（ｂ）は、（ａ）の画像に含まれる画像部分の情報の一例を示す図である。
【図７】（ａ）は、主表示部に表示される表示データの画像の一例を示す図であり、（ｂ）及び（ｃ）は、副表示部に表示される画像の一例を示す図である。
【図８】（ａ）は、画像部分データの加工処理の一例を示す図であり、（ｂ）は加工後に副表示部に表示される内容を示す図である。
【図９】（ａ）、（ｂ）は、画像部分データの加工内容のバリエーションに応じた各表示内容の例を示す図である。
【図１０】（ａ）〜（ｄ）は、画像部分データの加工内容のバリエーションに応じた各表示内容の例を示す図である。
【図１１】表示データ処理装置２の動作処理を示すフローチャートである。
【図１２】主表示装置３の動作処理を示すフローチャートである。
【図１３】副表示装置４の動作処理を示すフローチャートである。
【図１４】画像表示システム６の全体構成を示す図である。
【図１５】主表示装置７の詳細構成を示すブロック図である。
【図１６】画像面積（ドット数）、スクリーンサイズ及び実施会場における聴講者席の最後部とスクリーンとの間の距離により設定された視認性判断基準を示す図である。
【図１７】（ａ）は、主表示部に表示される表示データの画像の一例を示す図であり、（ｂ）は、（ａ）の画像に含まれる画像部分の情報の一例を示す図である。
【図１８】（ａ）及び（ｂ）は、副表示部に表示される画像の一例を示す図である。
【図１９】文字画数、スクリーンサイズ及び実施会場における聴講者席の最後部とスクリーンとの間の距離により設定された視認性判断基準を示す図である。
【図２０】（ａ）は、主表示部に表示される表示データの画像の一例を示す図であり、（ｂ）は、（ａ）の画像に含まれる画像部分の情報の一例を示す図である。
【図２１】副表示部に表示される画像の一例を示す図である。
【図２２】（ａ）は、副表示装置４における、表示内容の切り替え時の切り替えボタンの一例を示す図であり、（ｂ）は、表示内容の切り替え内容の一例を示す図である。
【図２３】（ａ）は、主表示部５に表示される画像の一例を示す図であり、（ｂ）〜（ｄ）は、（ａ）の表示画像に対して、表示内容の切り替えを行ったときの表示内容の一例を示す図である。
【図２４】主表示装置７の動作処理を示すフローチャートである。
【図２５】副表示部４ｅの表示内容を段階的に切り替えることが可能な場合の副表示装置４の動作処理を示すフローチャートである。
【図２６】画像表示システム８の全体構成を示す図である。
【図２７】視認性判断基準を、文字画像とその背景色と色相環とにより設定する一例を示す図であり、（ａ）は、色相環を示す図であり、（ｂ）及び（ｃ）は文字画像とその背景色との組み合わせの一例を示す図である。
【図２８】画像の重なりに対応して視認性の判断を行う一例を示す図である。
【符号の説明】
【０１９３】
１…画像表示システム，  ２…表示データ処理装置，  ２ａ…データ通信部，  ２ｂ…表示データ取得部，  ２ｃ…環境情報取得部，  ２ｄ…データ制御部，  ２ｅ…データ記憶部，  ２ｆ…表示データ解析部，  ２ｇ…視認性判断部，  ２ｈ…画像部分データ抽出部，  ２ｉ…データ加工部，  ３…主表示装置，  ３ａ…データ通信部，  ３ｂ…表示データ取得部，  ３ｃ…データ記憶部，  ２ｊ，３ｄ…画像投射部，  ４…副表示装置，  ４ａ…データ通信部，  ４ｂ…詳細データ取得部，  ４ｃ…データ記憶部，  ４ｄ…詳細データ表示部，  ４ｅ…副表示部
【図１】
2006072879.tif 000003
【図２】
2006072879.tif 000004
【図３】
2006072879.tif 000005
【図４】
2006072879.tif 000006
【図５】
2006072879.tif 000007
【図６】
2006072879.tif 000008
【図７】
2006072879.tif 000009
【図８】
2006072879.tif 000010
【図９】
2006072879.tif 000011
【図１０】
2006072879.tif 000012
【図１１】
2006072879.tif 000013
【図１２】
2006072879.tif 000014
【図１３】
2006072879.tif 000015
【図１４】
2006072879.tif 000016
【図１５】
2006072879.tif 000017
【図１６】
2006072879.tif 000018
【図１７】
2006072879.tif 000019
【図１８】
2006072879.tif 000020
【図１９】
2006072879.tif 000021
【図２０】
2006072879.tif 000022
【図２１】
2006072879.tif 000023
【図２２】
2006072879.tif 000024
【図２３】
2006072879.tif 000025
【図２４】
2006072879.tif 000026
【図２５】
2006072879.tif 000027
【図２６】
2006072879.tif 000028
【図２７】
2006072879.tif 000029
【図２８】
2006072879.tif 000030